(57)【要約】ＩＤ管理用リモコン５がＡＶデータ送信装置３のＩＤコードＡを受信して格納した後、ＡＶデータ受信装置４ａ，４ｂのいずれかのＩＤコードＡ，Ｂを受信する。このとき、ＡＶデータ受信装置４ａのＩＤコードＡを受信すると、ＩＤコードが一致することから通信接続可能であることが確認される。又、ＡＶデータ受信装置４ｂのＩＤコードＢを受信すると、ＩＤコードが不一致であることから通信接続不可能であることが確認される。
2004079987.tif 000002
【特許請求の範囲】
【請求項１】
特定の暗号化コードによって暗号化されたデータを送受信する複数のデータ処理装置より構成される複数の通信システムにおける暗号化コード管理システムにおいて、
前記データ処理装置の前記暗号化コードを受信するコード管理受信部と、当該コード管理受信部で受信した複数の前記暗号化コードを比較するコード管理制御部と、当該コード管理制御部における比較結果を出力する結果出力部と、を備える電子機器を有するとともに、
前記データ処理装置が、自機器の前記暗号化コードを前記電子機器に送信するコード管理送信部を備えることを特徴とする暗号化コード管理システム。
【請求項２】
前記データ処理装置が、前記電子機器に前記コード管理送信部から送信する信号を暗号化する暗号化部を備えることを特徴とする請求の範囲１に記載の暗号化コード管理システム。
【請求項３】
前記電子機器が、前記コード管理受信部で受信した前記データ処理装置からの信号を暗号化解除する暗号化解除部を備えることを特徴とする請求の範囲２に記載の暗号化コード管理システム。
【請求項４】
前記暗号化コードを暗号化する際に用いる暗号化キーが、前記暗号化コードや前記比較結果を受信する側から送信されることを特徴とする請求の範囲２に記載の暗号化コード管理システム。
【請求項５】
前記データ処理装置で暗号化する際に用いる暗号化キーが、前記電子機器が前記データ処理装置に対して前記暗号化コードを送信要求するために送信するコード要求信号とともに送信されることを特徴とする請求の範囲４に記載の暗号化コード管理システム。
【請求項６】
前記暗号化コードの暗号化に使用された暗号化キーが、前記暗号化コードを送信する側から前記暗号化コードや前記比較結果とともに送信されることを特徴とする請求の範囲２に記載の暗号化コード管理システム。
【請求項７】
前記電子機器が、
受信した前記暗号化コードを１又は複数格納するコード記憶部を備えるとともに、
前記データ処理装置から前記暗号化コードを前記コード管理受信部で受信して、前記コード記憶部内に格納した後、
前記コード記憶部内に格納した前記暗号化コードに対応する前記データ処理装置以外の前記データ処理装置から前記暗号化コードを前記コード管理受信部で受信し、
前記コード管理制御部において、前記コード管理受信部で受信した前記暗号化コードを、前記コード記憶部に格納した前記暗号化コードと比較することで一致するものを検索し、当該検索結果を前記比較結果とすることを特徴とする請求の範囲１に記載の暗号化コード管理システム。
【請求項８】
前記電子機器が、前記コード記憶部に格納した前記暗号化コードを、当該暗号化コードを格納してから所定時間経過したことを確認したときに、前記コード記憶部から消去することを特徴とする請求の範囲７に記載の暗号化コード管理システム。
【請求項９】
前記電子機器が、前記コード記憶部に格納した前記暗号化コードを、当該暗号化コードと一致した回数が所定回数を超えたことを確認したときに、前記コード記憶部から消去することを特徴とする請求の範囲７に記載の暗号化コード管理システム。
【請求項１０】
前記電子機器が、前記コード記憶部に格納した前記暗号化コードを前記コード記憶部から消去する消去用操作部を備えることを特徴とする請求の範囲７に記載の暗号化コード管理システム。
【請求項１１】
前記電子機器が、
通信した前記データ処理装置毎に、当該データ処理装置を特定する識別符号を登録する登録キーを備え、
前記暗号化コードを前記登録キーによって登録した前記識別符号とともに前記コード記憶部に格納することを特徴とする請求の範囲７に記載の暗号化コード管理システム。
【請求項１２】
前記電子機器又は前記データ処理装置の前記結果出力部において、前記暗号化コードが一致する複数の前記データ処理装置により構成される前記通信システムを、当該複数のデータ処理装置の前記識別符号によるグループを表示して表すことを特徴とする請求の範囲１１に記載の暗号化コード管理システム。
【請求項１３】
前記識別符号が、前記データ処理装置の設置位置及び種類であることを特徴とする請求の範囲１１に記載の暗号化コード管理システム。
【請求項１４】
前記識別符号が、前記データ処理装置の機器名であることを特徴とする請求の範囲１１に記載の暗号化コード管理システム。
【請求項１５】
前記電子機器が、
受信した前記暗号化コードを複数格納するコード記憶部を備えるとともに、
複数の前記データ処理装置の前記暗号化コードを前記コード管理受信部で受信して、前記コード記憶部に格納した後、
前記コード管理制御部において、前記コード記憶部に格納した前記暗号化コード全てを比較するとともに、前記比較結果として、前記暗号化コードが一致する前記データ処理装置の通信接続関係を確認することを特徴とする請求の範囲１に記載の暗号化コード管理システム。
【請求項１６】
前記電子機器が、
前記コード記憶部に格納した複数の前記暗号化コードに対応する前記データ処理装置以外の前記データ処理装置から前記暗号化コードを前記コード管理受信部で受信した後、
前記コード管理制御部において、前記コード管理受信部で受信した前記暗号化コードを、前記コード記憶部に格納した複数の前記暗号化コードと比較することで一致するものを検索し、当該検索結果も前記比較結果とすることを特徴とする請求の範囲１５に記載の暗号化コード管理システム。
【請求項１７】
前記データ処理装置又は前記電子機器の前記結果出力部において、前記暗号化コードが同一となり１つの通信システムを構築する複数の前記データ処理装置が１つのグループとして表示されることを特徴とする請求の範囲１に記載の暗号化コード管理システム。
【請求項１８】
前記暗号化コードが送受信されるとき、当該暗号化コードを備えた前記データ処理装置の機器名とともに送受信されることを特徴とする請求の範囲１に記載の暗号化コード管理システム。
【請求項１９】
前記電子機器が、前記データ処理装置を操作するためのリモートコントローラであることを特徴とする請求の範囲１に記載の暗号化コード管理システム。
【請求項２０】
前記データ処理装置が送受信するデータが、ＡＶデータであることを特徴とする請求の範囲１に記載の暗号化コード管理システム。
【請求項２１】
特定の暗号化コードによって暗号化されたデータを送受信する複数のデータ処理装置より構成される複数の通信システムにおける暗号化コード管理システムにおいて、
前記データ処理装置の前記暗号化コードを受信するコード管理受信部と、当該コード管理受信部で受信した複数の前記暗号化コードを比較するコード管理制御部と、当該コード管理制御部における比較結果を前記データ処理装置に送信するコード管理送信部と、を備える電子機器を有するとともに、
前記データ処理装置が、自機器の前記暗号化コードを前記電子機器に送信するコード管理送信部と、前記電子機器からの比較結果を受信するコード管理受信部と、該コード管理受信部で受信した前記比較結果を出力する結果出力部と、を備えることを特徴とする暗号化コード管理システム。
【請求項２２】
前記データ処理装置が、前記電子機器に前記コード管理送信部から送信する信号を暗号化する暗号化部と、前記コード管理受信部で受信した前記電子機器からの信号を暗号化解除する暗号化解除部と、を備えるとともに、
前記電子機器が、前記データ処理装置に前記コード管理送信部から送信する信号を暗号化する暗号化部と、前記コード管理受信部で受信した前記データ処理装置からの信号を暗号化解除する暗号化解除部と、を備えることを特徴とする請求の範囲２１に記載の暗号化コード管理システム。
【請求項２３】
前記暗号化コードを暗号化する際に用いる暗号化キーが、前記暗号化コードや前記比較結果を受信する側から送信されることを特徴とする請求の範囲２２に記載の暗号化コード管理システム。
【請求項２４】
前記データ処理装置で暗号化する際に用いる暗号化キーが、前記電子機器が前記データ処理装置に対して前記暗号化コードを送信要求するために送信するコード要求信号とともに送信されることを特徴とする請求の範囲２３に記載の暗号化コード管理システム。
【請求項２５】
前記暗号化コードの暗号化に使用された暗号化キーが、前記暗号化コードを送信する側から前記暗号化コードや前記比較結果とともに送信されることを特徴とする請求の範囲２２に記載の暗号化コード管理システム。
【請求項２６】
特定の暗号化コードによって暗号化されたデータを送受信する複数のデータ処理装置より構成される複数の通信システムにおける暗号化コード管理システムにおいて、
前記データ処理装置の前記暗号化コードを受信するコード管理受信部と、当該コード管理受信部で受信した１又は複数の前記暗号化コードを格納するコード記憶部と、当該コード記憶部に格納した前記暗号化コードを前記データ処理装置に送信するコード管理送信部と、を備える電子機器を有するとともに、
前記データ処理装置が、自機器の前記暗号化コードを前記電子機器に送信するコード管理送信部と、前記電子機器から送信される前記暗号化コードを受信するコード管理受信部と、前記コード管理受信部で受信した前記暗号化コードと自機器の前記暗号化コードとを比較するコード管理制御部と、該コード管理制御部での比較結果を出力する結果出力部と、を備えることを特徴とする暗号化コード管理システム。
【請求項２７】
前記電子機器が、前記コード記憶部に格納した前記暗号化コードを、当該暗号化コードを格納してから所定時間経過したことを確認したときに、前記コード記憶部から消去することを特徴とする請求の範囲２６に記載の暗号化コード管理システム。
【請求項２８】
前記電子機器が、前記コード記憶部に格納した前記暗号化コードを、当該暗号化コードと一致した回数が所定回数を超えたことを確認したときに、前記コード記憶部から消去することを特徴とする請求の範囲２６に記載の暗号化コード管理システム。
【請求項２９】
前記電子機器が、前記コード記憶部に格納した前記暗号化コードを前記コード記憶部から消去する消去用操作部を備えることを特徴とする請求の範囲２６に記載の暗号化コード管理システム。
【請求項３０】
前記データ処理装置又は前記電子機器の前記結果出力部において、前記暗号化コードが同一となり１つの通信システムを構築する複数の前記データ処理装置が１つのグループとして表示されることを特徴とする請求の範囲２６に記載の暗号化コード管理システム。
【請求項３１】
前記電子機器が、
通信した前記データ処理装置毎に、当該データ処理装置を特定する識別符号を登録する登録キーを備え、
前記暗号化コードを前記登録キーによって登録した前記識別符号とともに前記コード記憶部に格納することを特徴とする請求の範囲２６に記載の暗号化コード管理システム。
【請求項３２】
前記電子機器又は前記データ処理装置の前記結果出力部において、前記暗号化コードが一致する複数の前記データ処理装置により構成される前記通信システムを、当該複数のデータ処理装置の前記識別符号によるグループを表示して表すことを特徴とする請求の範囲３１に記載の暗号化コード管理システム。
【請求項３３】
前記識別符号が、前記データ処理装置の設置位置及び種類であることを特徴とする請求の範囲３１に記載の暗号化コード管理システム。
【請求項３４】
前記識別符号が、前記データ処理装置の機器名であることを特徴とする請求の範囲３１に記載の暗号化コード管理システム。
【請求項３５】
前記暗号化コードが送受信されるとき、当該暗号化コードを備えた前記データ処理装置の機器名とともに送受信されることを特徴とする請求の範囲２６に記載の暗号化コード管理システム。
【請求項３６】
前記電子機器が、前記データ処理装置を操作するためのリモートコントローラであることを特徴とする請求の範囲２６に記載の暗号化コード管理システム。
【請求項３７】
前記データ処理装置が送受信するデータが、ＡＶデータであることを特徴とする請求の範囲２６に記載の暗号化コード管理システム。
【請求項３８】
請求の範囲１〜請求の範囲３７のいずれかに記載の暗号化コード管理システムを用いる前記通信システムにおける前記データ処理装置であることを特徴とするデータ処理装置。
【請求項３９】
請求の範囲１〜請求の範囲３７のいずれかに記載の暗号化コード管理システムで使用される前記電子機器であることを特徴とする電子機器。
【発明の詳細な説明】
【技術分野】  本発明は、データを暗号化コードで暗号化して無線送信するデータ送信装置、及び、暗号化されたデータを受信して復号化するデータ受信装置における、暗号化コード管理システムに関する。又、この暗号化コード管理システムで利用されるデータ送信装置及びデータ受信装置などのデータ処理装置、更に、暗号化コード管理システムで使用される電子機器に関する。
【背景技術】  近年、有線接続の煩雑さと無線技術の発達により、チューナ、ビデオ、ＤＶＤなどのＡＶソース機器からディスプレイやプロジェクタなどのＡＶ再生装置に対してＡＶデータを送信し、ＡＶ再生装置において映像や音声を表示又は出力するＡＶデータ用の無線通信システムが提供されている。このＡＶデータ用の無線通信システムを実現するために、ＡＶソース機器にＡＶデータを送信するＡＶデータ送信装置が接続されるとともに、ＡＶ再生装置にＡＶ受信装置が接続される。又、このＡＶデータ送信装置がＡＶソース機器に備えられるとともに、ＡＶ受信装置がＡＶ再生装置に備えられることで、ＡＶソース機器とＡＶ再生装置とによってＡＶデータ用の無線通信システムが構成されることもある。
そして、このようなＡＶデータ用の無線通信システムでは、ＡＶデータ送信装置とＡＶデータ受信装置は、ＡＶデータに著作権があるため、１対１で構成され、別のシステムを構成するＡＶデータ送信装置とＡＶデータ受信装置との間ではＡＶ伝送ができないようになっている。従来のＡＶデータ用の無線通信システムの構成を、第３７図に示す。
第３７図では、１つのＡＶデータ用の無線通信システムが構成されている。このＡＶデータ用の無線通信システムは、ＡＶソース機器１と有線で接続されたＡＶデータ送信装置１０１のアンテナ５１１から、ＡＶソース機器１から出力されたＡＶデータが送信される。このＡＶソース機器１からのＡＶデータは、アンテナ５４１を介してＡＶデータ受信装置１０２で受信され、ＡＶデータ受信装置１０２と有線で接続されたＡＶ再生装置２に与えられて再生表示される。
又、ＡＶソース機器１を操作するためのリモートコントローラ（リモコン）１１が操作されて赤外線信号が送信されると、この赤外線信号がＡＶデータ受信装置１０２のリモコンデータ受信部５５３で受信された後、無線通信用の信号に変換されてアンテナ５４１から送信される。そして、この信号がＡＶデータ送信装置１０１のアンテナ５１１で受信されると、赤外線信号に変換されてリモコン出力部５１７から送信された後、ＡＶソース機器１の赤外線信号受信部１２で受信されて、リモコン１１で指示された動作をＡＶソース機器１が行う。
又、上述のＡＶデータ送信装置１０１は、第３８図に示すように、ＮＴＳＣ等のアナログＡＶデータを入力するアナログ入力部５０２とデジタル信号を入力するデジタル入力部５０１がある。アナログデータは、Ａ／Ｄ変換部（以下、「Ａ／Ｄ」とする）５０３でデジタル化され、ＭＰＥＧ部５０４でエンコードされ、各種データはデータ生成部５０５で整理され、誤り訂正符号化処理部５０６で誤り符号が付加され、データスクランブル部５０７で暗号化（スクランブル）され、ベースバンド（以下、「ＢＢ」とする）５０９、高周波増幅回路（以下、「ＲＦ」とする）５１０、アンテナ５１１という経路でＡＶデータ受信側に送信される。このとき、データスクランブル部５０７でスクランブルするために使用されるＩＤはＩＤ記憶部５２０に記憶されている。入力されるデータがデジタルデータである場合、デジタル入力部５０１から直接データ生成部５０５に与えられる。
第３９図に示す構成のＡＶデータ受信装置１０２では、アンテナ５４１，ＲＦ５４２、ＢＢ５４３を介して受信され、スクランブル解除部５４４でスクランブルを解除し、データ解析部５４５でＡＶデータの振り分けや不足等が判定され、ＭＰＥＧ部５４６でデコードされ、Ｄ／Ａ変換部（以下、「Ｄ／Ａ」とする）５４７でアナログ信号に変換され、アナログ出力部５４８でＮＴＳＣ等のデータとして出力される。このとき、スクランブル解除部５４４でスクランブルを解除するために使用されるＩＤがＩＤ記憶部５６０に記憶されている。又、デジタルデータを出力する場合、データ解析部５４５からのデータがデジタル出力部解析部５４９及びデジタル出力部５５０を介して出力される。
又、ＡＶデータ受信装置１０２は、データ解析部５４５において正確に受信されなかったパケットの判定を行う。この判定結果より、受信されなかったパケットの再送要求パケットが再送要求パケット生成部５５８で生成される。更に、ＡＶデータ受信装置１０２は、ＡＶソース機器１を制御するための信号を入力する操作部５５１と、リモコン１１からの赤外線信号を受信するリモコンデータ受信部５５３を備える。そして、操作部５５１からのデータが入力データ変換部５５２で変換され、リモコンデータ受信部５５３で受信された信号がリモコンデータ変換部５５４で変換される。この変換されたデータによるパケットと再送要求パケット生成部５５８からの再送要求パケットから送信データがデータ生成部５５５で生成され、誤り訂正符号付加部５５６で誤り訂正符号が付加される。そして、この送信データが、データスクランブル部５５７でスクランブルされた後、ＢＢ５４３及びＲＦ５４２及びアンテナ５４１を介して送信される。
そして、ＡＶデータ送信機１０１で、アンテナ５１１及びＲＦ５１０及びＢＢ５０９を介して受信すると、スクランブル解除部５１２でスクランブルを解除し、データ解析部５１３においてＡＶデータ受信装置１０２で正確に受信されなかったパケットの判定とデータの整理を行い、再送要求が必要な場合は再送要求パケット生成部５１４で再送要求されたＡＶデータのデータパケットが生成される。又、データ解析部５１３で得られたＡＶソース機器１を操作するデータは、リモコンデータ解析部５１６でリモコン信号に変換され、リモコン出力部５１７から赤外線信号として出力される。リモコン信号以外のデジタルデータは、デジタルデータ解析部５１８を介して、デジタルデータ出力部５１９より出力される。
第３７図において、無線通信システムを構成するＡＶデータ送信装置１０１及びＡＶデータ受信装置１０２に記録されたＩＤコードは、Ａで固定されている。このとき、別の無線通信システムに属するＡＶデータ受信装置１０３が存在する場合、このＡＶデータ受信装置１０３のＩＤコードは、Ｂで固定されている。このＡＶデータ受信装置１０３は、アナログ出力部５４８及びデジタル出力部５５０の代わりに、ＡＶ再生装置２の機能を備える。このとき、ＡＶデータ送信装置１０１のＩＤコードＡとＡＶデータ受信装置１０３のＩＤコードＢとが異なるため、ＡＶデータ送信装置１０１とＡＶデータ受信装置１０３との間における無線伝送が不可能となる。
このように、第３７図のＡＶデータの無線通信システムでは、予め定められたＡＶ機器の組合せでしか、ＡＶデータの無線伝送が実現できず、無線で自由な場所で自由なＡＶデータソースを楽しむことが制限されている。しかしながら、スクランブルなどの暗号化を行った無線で伝送されたＡＶデータを受信してスクランブル解除、復号化を実施出来るＡＶデータ受信装置が同時に多数存在した場合、多数のＡＶデータ受信装置で多数の者が視聴できるようになり、ＡＶソース作成者の著作権を侵害することが考えられる。
又、スクランブル設定、解除、暗号化、復号化に関わるコードが自由に設定できるシステムの場合、盗聴などされる恐れがある。更に、再送等を行うシステムでは、複数のＡＶデータ受信装置がシステム内に存在し、それぞれが無秩序に再送要求を行うことにより、再送要求が集中したときの帯域不足や、ＡＶデータ受信装置の安定受信の妨害などが生じる恐れがある。
そこで、従来の技術として、給湯器本体とそれを制御するリモコンの間でＩＤを通信により送受信し、最新のリモコンのみを使用可能とする給湯器が提供されている（特開平７−２５５０８９号公報参照）。よって、最新のＩＤコードのみが有効になるシステムであるため、複数の機器に同じＩＤコードを設定することができない。更に、増設親機が自己のＩＤを送信し、このＩＤを受信した他の増設親機は受信したＩＤとは異なったＩＤを使用するインターホンが提供されている（特開平１１−２８４７５４号公報参照）。
又、第３７図のＡＶデータ用の無線通信システムでは、ＡＶデータ送信装置１０１とＡＶ受信装置１０２又はＡＶデータ送信装置１０１とＡＶデータ受信装置１０３との間で通信が確立しないことがある。この場合、妨害電波、電波の遮断、無線チャンネルの違い（空きチャンネルがない場合も含む）、アンテナの不具合などのように電波障害が原因で受信できないのか、暗号化・復号化に用いるＩＤコードが一致していないために通信・表示出来ないのか容易に判定することはできない。
又、特開平７−２５５０８９号公報及び特開平１１−２８４７５４号公報におけるＩＤ管理方法やＩＤ設定方法を用いた場合においても、無線通信システム毎にＩＤコードを設定することができる。しかしながら、各無線通信システムにおいてＩＤコードを自由に設定することができることから、無線通信システム内で通信確率されない場合、その原因が電波障害であるのかＩＤコードの不一致であるのかを確認することが困難である。
このように、無線通信システム内におけるＩＤコードの不一致を確認するために、出荷時にＩＤコード自体の数値を各機器本体か別途書類に記載することで、一致しているか判断が可能となる。しかしながら、本体に記載された位置によっては、設置した後は確認できなくなったり、消えてしまうことがある。又、別の用紙に記載されている場合は、用紙がなくなると照合できないない。更に、このようにしてＩＤコードを照合する無線通信システムはＩＤコードを固定する必要があるため、特開平７−２５５０８９号公報及び特開平１１−２８４７５４号公報などのようにＩＤコードを変更する無線通信システムではＩＤコードを照合することができない。
【発明の開示】
このような問題を鑑みて、本発明は、データ伝送を相互に行えるデータ送信装置及びデータ受信装置を容易に確認することができる暗号化コード管理システムを提供することを目的とする。又、本発明は、このような暗号化コード管理システムを備えたデータ通信システムにおけるデータ処理装置を提供することを別の目的とする。又、本発明は、このようなデータ通信システムにおいて利用される電子機器を提供することを別の目的とする。
上記目的を達成するために、本発明の暗号化コード管理システムは、特定の暗号化コードによって暗号化されたデータを送受信する複数のデータ処理装置より構成される複数の通信システムにおける暗号化コード管理システムにおいて、前記データ処理装置の前記暗号化コードを受信するコード管理受信部と、当該コード管理受信部で受信した複数の前記暗号化コードを比較するコード管理制御部と、当該コード管理制御部における比較結果を出力する結果出力部と、を備える電子機器を有するとともに、前記データ処理装置が、自機器の前記暗号化コードを前記電子機器に送信するコード管理送信部を備えることを特徴とする。
又、本発明の暗号化コード管理システムは、特定の暗号化コードによって暗号化されたデータを送受信する複数のデータ処理装置より構成される複数の通信システムにおける暗号化コード管理システムにおいて前記データ処理装置の前記暗号化コードを受信するコード管理受信部と、当該コード管理受信部で受信した複数の前記暗号化コードを比較するコード管理制御部と、当該コード管理制御部における比較結果を前記データ処理装置に送信するコード管理送信部と、を備える電子機器を有するとともに、前記データ処理装置が、自機器の前記暗号化コードを前記電子機器に送信するコード管理送信部と、前記電子機器からの比較結果を受信するコード管理受信部と、該コード管理受信部で受信した前記比較結果を出力する結果出力部と、を備えることを特徴とする。
又、本発明の暗号化コード管理システムは、特定の暗号化コードによって暗号化されたデータを送受信する複数のデータ処理装置より構成される複数の通信システムにおける暗号化コード管理システムにおいて、前記データ処理装置の前記暗号化コードを受信するコード管理受信部と、当該コード管理受信部で受信した１又は複数の前記暗号化コードを格納するコード記憶部と、当該コード記憶部に格納した前記暗号化コードを前記データ処理装置に送信するコード管理送信部と、を備える電子機器を有するとともに、前記データ処理装置が、自機器の前記暗号化コードを前記電子機器に送信するコード管理送信部と、前記電子機器から送信される前記暗号化コードを受信するコード管理受信部と、前記コード管理受信部で受信した前記暗号化コードと自機器の前記暗号化コードとを比較するコード管理制御部と、該コード管理制御部での比較結果を出力する結果出力部と、を備えることを特徴とする。
【図面の簡単な説明】  第１図は、本発明の実施形態のＩＤ管理システムを説明するための図であり、
第２図は、本発明のＡＶデータ送信装置の内部構成を示すブロック図であり、
第３図は、本発明のＡＶデータ受信装置の内部構成を示すブロック図であり、
第４図は、第１の実施形態のＩＤ管理用リモコンの内部構成を示すブロック図であり、
第５図は、第１の実施形態のＩＤ管理システムにおける各装置の動作状態を示す状態遷移図であり、
第６Ａ〜第６Ｄ図は、第１の実施形態のＩＤ管理用リモコンの外観図及び表示例であり、
第７図は、第２の実施形態のＩＤ管理用リモコンの外観図であり、
第８図は、第２の実施形態のＩＤ管理用リモコンの動作を示すフローチャートであり、
第９図は、第３の実施形態のＩＤ管理用リモコンの内部構成を示すブロック図であり、
第１０図は、第３の実施形態のＩＤ管理用リモコンの動作を示すフローチャートであり、
第１１図は、第３の実施形態のＩＤ管理用リモコンの動作を示すフローチャートであり、
第１２Ａ図〜第１２Ｉ図は、第３の実施形態のＩＤ管理用リモコンの外観図及び表示例であり、
第１３図は、第４の実施形態のＩＤ管理用リモコンの内部構成を示すブロック図であり、
第１４図は、第４の実施形態のＩＤ管理用リモコンの外観図であり、
第１５図は、複数のＡＶデータ無線通信システムを構成するＡＶデータ送信装置及びＡＶデータ受信装置の関係の一例を示すブロック図であり、
第１６Ａ図〜第１６Ｄ図は、第４の実施形態のＩＤ管理用リモコンの表示例であり、
第１７図は、第５の実施形態のＩＤ管理用リモコンの内部構成を示すブロック図であり、
第１８図は、第５の実施形態のＩＤ管理用リモコンの外観図であり、
第１９図は、複数のＡＶデータ無線通信システムを構成するＡＶデータ送信装置及びＡＶデータ受信装置の関係の一例を示すブロック図であり、
第２０図は、第５の実施形態のＩＤ管理用リモコンのＩＤ記憶部における記憶状態を示す図であり、
第２１図は、第５の実施形態のＩＤ管理用リモコンの表示例であり、
第２２図は、第５の実施形態のＩＤ管理用リモコンの別の表示例であり、
第２３図は、第５の実施形態のＩＤ管理用リモコンの別の表示例であり、
第２４Ａ図及び第２４Ｂ図は、第５の実施形態のＩＤ管理用リモコンの別の表示例であり、
第２５図は、第６の実施形態のＡＶデータ送信装置の内部構成を示すブロック図であり、
第２６図は、第６の実施形態のＡＶデータ受信装置の内部構成を示すブロック図であり、
第２７図は、第６の実施形態のＩＤ管理システムにおける各装置の動作状態を示す状態遷移図であり、
第２８図は、第６の実施形態の別例となるＡＶデータ受信装置の内部構成を示すブロック図であり、
第２９図は、第７の実施形態のＡＶデータ送信装置の内部構成を示すブロック図であり、
第３０図は、第７の実施形態のＡＶデータ受信装置の内部構成を示すブロック図であり、
第３１図は、第７の実施形態のＩＤ管理用リモコンの内部構成を示すブロック図であり、
第３２図は、第７の実施形態のＩＤ管理システムにおける各装置の動作状態を示す状態遷移図であり、
第３３図は、第８の実施形態のＡＶデータ送信装置の内部構成を示すブロック図であり、
第３４図は、第８の実施形態のＡＶデータ受信装置の内部構成を示すブロック図であり、
第３５図は、第８の実施形態のＩＤ管理用リモコンの内部構成を示すブロック図であり、
第３６図は、第８の実施形態のＩＤ管理システムにおける各装置の動作状態を示す状態遷移図であり、
第３７図は、従来のＡＶデータの無線通信システムを説明するための図であり、
第３８図は、従来のＡＶデータ送信装置の内部構成を示すブロック図であり、
第３９図は、従来のＡＶデータ受信装置の内部構成を示すブロック図である。
【発明を実施するための最良の形態】＜第１の実施形態＞
本発明の第１の実施形態について、図面を参照して以下に説明する。第１図は、本実施形態におけるＩＤ管理システムの構成を示すブロック図である。第２図及び第３図は、ＡＶデータ送信装置及びＡＶデータ受信装置の内部構成を示すブロック図である。尚、この第２図及び第３図において、第３８図及び第３９図と同一の部分については、同一の符号を付してその詳細な説明は省略する。第４図は、ＩＤ管理用リモコンの内部構成を示すブロック図である。
第１図のＩＤ管理システムは、ＡＶソース機器１と有線接続されたＡＶデータ送信装置３と、ＡＶ再生装置２と有線接続されたＡＶデータ受信装置４ａと、ＡＶ再生機能を備えたＡＶデータ受信装置４ｂと、ＡＶデータ送信装置３及びＡＶデータ受信装置４ａ，４ｂと赤外線通信を行うＩＤ管理用リモートコントローラ（リモコン）５とによって構成される。このとき、ＡＶデータ送信装置３がＡＶデータ送信用のＩＤコードとしてＩＤコードＡを備え、ＡＶデータ受信装置４ａ，４ｂがそれぞれＡＶデータ受信用のＩＤコードとしてＩＤコードＡ，Ｂを備える。
又、本実施形態におけるＡＶデータ送信装置３は、第２図に示すように、第３８図のＡＶデータ送信装置に、ＩＤ記憶部５２０に記録されるＩＤコードの読み出しを行うＩＤ管理制御部５２１と、外部のＩＤ管理用リモコン５から送信された信号を受信するＩＤ管理入力部５２２と、ＩＤ記憶部５２０に記録されていたＩＤコードを外部のＩＤ管理用リモコン５に送信するＩＤ管理出力部５２３とが付加された構成である。
又、本実施形態におけるＡＶデータ受信装置４ａ，４ｂは、第３図に示すように、第３９図のＡＶデータ受信装置に、ＩＤ記憶部５６０に記録されるＩＤコードの読み出しを行うＩＤ管理制御部５６１と、外部のＩＤ管理用リモコン５から送信される信号を受信するＩＤ管理入力部５６２と、ＩＤ記憶部５６０に記録されていたＩＤコードを外部のＩＤ管理用リモコン５に送信するＩＤ管理出力部５６３とが付加された構成である。尚、第１図のＡＶデータ受信装置４ｂは、ＡＶ再生装置の機能を備えるため、アナログ出力部５４８及びデジタル出力部５５０の代わりにＡＶデータ再生機能を備えた構成となる。
又、本実施形態におけるＩＤ管理用リモコン５は、第４図に示すように、受信したＩＤコードを格納するＩＤ記憶部５７０と、内部に記録したＩＤコードと外部から受信したＩＤコードとの比較を行うＩＤ管理制御部５７１と、受信したＩＤコードをＩＤ管理制御部５７１に送出するＩＤ管理入力部５７２と、ＩＤコードの送信要求を行うための信号を送出するＩＤ管理出力部５７３と、動作入力するための操作部５７４と、ＩＤコードの比較結果を表示する結果表示部５７５と、を備える。
このような構成のＡＶデータ無線通信システムにおけるＩＤコードの確認動作について、第５図の状態遷移図及び第６Ａ図〜第６Ｄ図の表示例を用いて説明する。又、このＡＶデータ無線通信システムで使用されるＩＤ管理用リモコン５は、第６図のように、操作部５７４として、受信したＩＤコードの記録を指示するＧｅｔキー７０１と、受信したＩＤコードと記録しているＩＤコードとの比較を指示するＣｈｋキー７０２とを備える。
まず、初期状態として、第６Ａ図のように、結果表示部５７５の表示を”Ｅｍｐｔｙ”とし、ＩＤ記憶部５７０にＩＤコードが格納されていないことを示されている。このとき、ＡＶデータ送信装置３と通信可能な領域でＩＤ管理用リモコン５のＧｅｔキー７０１が操作されると、ＡＶデータ送信装置３が備えているＩＤコードを受信するよう、ＩＤコードの送信要求を行うためのＩＤ要求信号をＩＤ管理制御部５７１で生成し、ＩＤ管理出力部５７３よりＡＶデータ送信装置３に送信する（ＳＴＥＰ１）。
このようにＩＤ管理用リモコン５よりＩＤ要求信号が送信されると、ＡＶデータ送信装置３が、ＩＤ管理入力部５２２でＩＤ要求信号を受信して、ＩＤ管理制御部５２１においてＩＤ管理用リモコン５からＩＤコードの送信が要求されていることを確認する（ＳＴＥＰ２）。そして、ＩＤ管理制御部５２１によってＩＤ記憶部５２０に格納されている送信用のＩＤコードを読み出した後（ＳＴＥＰ３）、ＩＤ管理出力部５２３より送信する（ＳＴＥＰ４）。
このＡＶデータ送信装置３から送信されるＩＤコードが、ＩＤ管理用リモコン５のＩＤ管理入力部５７２で受信されると、ＡＶデータ送信装置３からのＩＤコードを受信したことをＩＤ管理制御部５７１が確認して（ＳＴＥＰ５）、ＩＤ記憶部５７０にＩＤコードが書き込まれる（ＳＴＥＰ６）。このとき、ＩＤ管理制御部５７１によってＩＤコードがＩＤ記憶部５７０に格納されたことを結果表示部５７５に通知するため、第６Ｂ図のように、結果表示部５７５の表示が”ＩＤ  Ｇｅｔ”となり、ＩＤコードが格納されたことが示される。
このようにＡＶデータ送信装置３のＩＤコードを格納したＩＤ管理用リモコン５がＡＶデータ受信装置４（第１図のＡＶデータ受信装置４ａ，４ｂに相当する）のいずれかと通信可能な領域でＩＤ管理用リモコン５のＣｈｋキー７０２が操作されると、ＳＴＥＰ１と同様の動作を行い、ＡＶデータ受信装置４にＩＤ要求信号を送信する（ＳＴＥＰ７）。そして、ＳＴＥＰ２〜ＳＴＥＰ４のＡＶデータ送信装置３の動作と同様、ＡＶデータ受信装置４が、ＩＤ管理入力部５６２でＩＤ要求信号を受信してＩＤ管理制御部５６１で確認すると（ＳＴＥＰ８）、ＩＤ記憶部５６０よりＩＤコードを読み出して（ＳＴＥＰ９）、このＩＤコードをＩＤ管理出力部５６３より送信する（ＳＴＥＰ１０）。
このＡＶデータ受信装置４から送信されるＩＤコードが、ＩＤ管理用リモコン５のＩＤ管理入力部５７２で受信されると、ＡＶデータ受信装置４からのＩＤコードを受信したことをＩＤ管理制御部５７１が確認する（ＳＴＥＰ１１）。そして、ＩＤ管理制御部５７１において、ＩＤ記憶部５７０に格納したＡＶデータ送信装置３のＩＤコードを読み出した後、ＡＶデータ送信装置３のＩＤコードとＡＶデータ受信装置４のＩＤコードとを比較する（ＳＴＥＰ１２）。
このように、ＡＶデータ送信装置３のＩＤコードとＡＶデータ受信装置４のＩＤコードとが比較されると、その比較結果がＩＤ管理制御部５７１から結果表示部５７５に通知されて、結果表示部５７５に比較結果が表示される（ＳＴＥＰ１３）。そして、ＩＤ管理制御部５７１によってＩＤ記憶部５７０に格納されているＡＶデータ送信装置３のＩＤコードが消去される（ＳＴＥＰ１４）。
即ち、第１図の構成の場合、ＩＤ管理用リモコン５において、ＡＶデータ送信装置３のＩＤコードＡが記録されて、ＡＶデータ受信装置４ａのＩＤコードＡと比較されると、第６Ｃ図のように、ＩＤコードが一致することを示す”Ｓａｍｅ”が結果表示部５７５に表示される。又、ＩＤ管理用リモコン５において、ＡＶデータ送信装置３のＩＤコードＡが記録されて、ＡＶデータ受信装置４ｂのＩＤコードＢと比較されると、第６Ｄ図のように、ＩＤコードが一致しないことを示す”Ｄｉｆｆｅｒ”が結果表示部５７５に表示される。
このようにすることで、選択したＡＶデータ送信装置３及びＡＶデータ受信装置４それぞれのＩＤコードが一致するか否かをＩＤ管理用リモコン５で確認し、選択したＡＶデータ送信装置３及びＡＶデータ受信装置４がＡＶデータ無線通信システムを構築しているか否かを確認することができる。又、第５図の例では、ＩＤ管理用リモコン５がＡＶデータ送信装置３のＩＤコードを記録した後にＡＶデータ受信装置４のＩＤコードと比較するものとしたが、ＩＤ管理用リモコン５がＡＶデータ受信装置４のＩＤコードを記録した後にＡＶデータ送信装置３のＩＤコードと比較しても確認できる。このときの動作についても、上述で説明した動作と同様の動作を行う。
又、操作部５７４をＧｅｔキー７０１とＣｈｋキー７０２とによる２つのキーで構成されるものとしたが、１つのキーで構成されるものとしても構わない。このとき、ＩＤ記憶部５７０にＩＤコードが記録されていない空き状態のときに初めてキーが操作されると、受信したＩＤコードをＩＤ記憶部５７０に格納する（ＳＴＥＰ１、ＳＴＥＰ５、ＳＴＥＰ６）。そして、再度キーが操作されると、受信したＩＤコードをＩＤ記憶部５７０に記憶したＩＤコードと比較し、その比較結果を結果表示部５７５に表示し、ＩＤ記憶部５７０内のＩＤコードを消去して空き状態とする（ＳＴＥＰ７、ＳＴＥＰ１１〜ＳＴＥＰ１４）。
＜第２の実施形態＞
本発明の第２の実施形態について、図面を参照して以下に説明する。尚、本実施形態のＡＶデータ無線通信システムにおいて、ＡＶデータ送信装置３及びＡＶデータ受信装置４及びＩＤ管理用リモコン５の内部構成は、第１の実施形態と同様、第２図〜第４図のような構成となる。又、第７図は、本実施形態におけるＩＤ管理用リモコン５の構成を示す外観図であり、第６図と同一の部分については同一の符号を付して、その詳細な説明は省略する。又、第８図は、ＩＤ管理用リモコン５のＩＤコードの格納動作を説明するためのフローチャートである。
本実施形態において、ＡＶデータ送信装置３及びＡＶデータ受信装置４は、第１の実施形態と同様の動作を行うため、その詳細な説明については第１の実施形態を参照するものとして省略し、ＩＤ管理用リモコン５について以下に説明する。このＩＤ管理用リモコン５は、第７図に示すように、操作部５７４として、Ｇｅｔキー７０１及びＣｈｋキー７０２以外に、ＩＤ記憶部５７０内に格納されたＩＤコードの消去を指示するためのＣｌｒキー７０３が設けられる。このＩＤ管理用リモコン５において、その他の構成については、第１の実施形態と同様である。
このようなＩＤ管理リモコン５におけるＩＤ記憶部５７０へのＩＤコード格納後の動作について、第８図のフローチャートを参照して説明する。第１の実施形態と同様、第５図のように、ＩＤ要求信号を送信した後にＡＶデータ送信装置３からＩＤコードを受信すると、ＩＤ記憶部５７０にＡＶデータ送信装置３のＩＤコードを格納する（ＳＴＥＰ６）。このように、ＩＤコードを格納すると、ＩＤ管理制御部５７１において、ＩＤコードの一致した回数を示す回数ｋを０にリセットした後（ＳＴＥＰ５１）、ＩＤコード格納後の時間を計測するためのタイマをリセットし、計測時間ｔを０とする（ＳＴＥＰ５２）。尚、タイマは、ＩＤ管理制御部５７１に備えられる。
その後、ＩＤ管理制御部５７１において、まず、タイマにより計測された計測時間ｔが所定時間Ｔを超えたか否かが確認され（ＳＴＥＰ５３）、所定時間Ｔを超えていない場合は（Ｎｏ）、操作部５７４が操作されたか否かが確認される（ＳＴＥＰ５４）。このとき、操作部５７４が操作されている場合（Ｙｅｓ）、ＩＤ管理制御部５７１がＣｈｋキー７０２が操作されたか否かを確認する（ＳＴＥＰ５５）。そして、Ｃｈｋキー７０２が操作されたとき（Ｙｅｓ）、第１の実施形態と同様、まず、ＩＤ要求信号をＡＶデータ受信装置４に送信した後、ＡＶデータ受信装置４のＩＤコードを受信し、ＩＤ記憶部５７０に格納したＡＶデータ送信装置３のＩＤコードと比較する（ＳＴＥＰ７、ＳＴＥＰ１１、ＳＴＥＰ１２）。
そして、ＡＶデータ送信装置３及びＡＶデータ受信装置４のＩＤコードが一致したか否かが確認され（ＳＴＥＰ５６）、ＩＤコードが一致するとき（Ｙｅｓ）、結果表示部５７５に”Ｓａｍｅ”が表示され（ＳＴＥＰ１３ａ）、又、ＩＤコードが一致しないとき（Ｎｏ）、結果表示部５７５に”Ｄｉｆｆｅｒ”が表示される（ＳＴＥＰ１３ｂ）。ＳＴＥＰ１３ａに移行して”Ｓａｍｅ”が表示されると、ＩＤ管理制御部５７１において、ＩＤコードの一致した回数ｋを１つ計数し（ＳＴＥＰ５７）、この回数ｋが所定回数Ｋを超えたか否かが確認される（ＳＴＥＰ５８）。即ち、この所定回数Ｋが、ＡＶデータ送信装置３と通信許可されたＡＶデータ受信装置４の台数を表し、ＡＶデータ受信装置４は、１台のＡＶデータ送信装置に対してＫ台まで通信許可される。
そして、ＳＴＥＰ５４で操作部５７４が操作されていないとき（Ｎｏ）、又は、ＳＴＥＰ１３ｂで”Ｄｉｆｆｅｒ”が表示されたとき、又は、ＳＴＥＰ５８でＩＤコードが一致したＡＶデータ受信装置４の台数がＫを超えていないとき（Ｎｏ）、ＳＴＥＰ５３に移行して、ＩＤコードを格納してから所定時間Ｔが経過したか否かが確認される。又、ＳＴＥＰ５３で所定時間Ｔが経過したことが確認されたとき（Ｙｅｓ）、又は、ＳＴＥＰ５５でＣｌｒキー７０３が操作されたとき（Ｎｏ）、又は、ＳＴＥＰ５８でＩＤコードが一致したＡＶデータ受信装置４の台数がＫを超えたとき（Ｙｅｓ）、ＳＴＥＰ１４に移行して、ＩＤ記憶部５７０に格納されているＡＶデータ送信装置３のＩＤコードが消去される。
このように動作することによって、ＡＶデータ送信装置３に対して複数のＡＶデータ受信装置４が通信許可されているＡＶデータ無線通信システムにおけるＩＤコードの確認を行うことができる。又、このとき、所定時間まで、又は、ＩＤコードが一致する上限となる台数まで、ＩＤ記憶部５７０で記憶可能とすることで、ＩＤコードを扱う上での安全性を高めることができる。尚、本実施形態において、Ｃｌｒキー７０３を設けるものとしたが、ＩＤコードを格納した後、Ｇｅｔキー７０１が操作されることでＩＤコードの消去を確認するようにしても構わない。又、第８図のＳＴＥＰ５５において、Ｇｅｔキー７０１が操作されたときエラーであることを結果表示部５７５に表示するようにしても構わない。
＜第３の実施形態＞
本発明の第３の実施形態について、図面を参照して以下に説明する。尚、本実施形態のＡＶデータ無線通信システムにおいて、ＡＶデータ送信装置３及びＡＶデータ受信装置４の内部構成は、第１の実施形態と同様、第２図及び第３図のような構成となる。又、第９図は、本実施形態におけるＩＤ管理用リモコン５ａの内部構成を示すブロック図であり、第４図と同一の部分については同一の符号を付して、その詳細な説明は省略する。
第９図のＩＤ管理用リモコン５ａは、第５図のＩＤ管理用リモコン５におけるＩＤ記憶部５７０の代わりに、送信用ＩＤ記憶部５７０ａ及び受信用ＩＤ記憶部５７０ｂを備える。即ち、ＩＤ管理用リモコン５ａは、ＡＶデータ送信装置３の送信用ＩＤコード及びＡＶデータ受信装置４の受信用ＩＤコードを格納することができる。又、このＩＤ管理用リモコン５ａにおいて、操作部５７４として、第１２Ａ図のように、送信用ＩＤコードを獲得するためのＧｅｔＴＸキー７０１ａと、受信用ＩＤコードを獲得するためのＧｅｔＲＸキー７０１ｂと、Ｃｈｋキー７０２とを備える。
以下に、このＩＤ管理用リモコン５ａの動作について、第１０図及び第１１図のフローチャートを用いて説明する。まず、ＩＤ管理用リモコン５ａは、ＩＤ管理制御部５７１において、操作部５７４のＧｅｔＴＸキー７０１ａが操作されてＡＶデータ送信装置３の送信用ＩＤコードの獲得が指示されたか否かを確認する（ＳＴＥＰ５０ａ）。ＧｅｔＴＸキー７０１ａが操作されると（Ｙｅｓ）、ＡＶデータ送信装置３の送信用ＩＤコードの送信要求を行うＴＸＩＤ要求信号をＩＤ管理制御部５７１で生成してＩＤ管理出力部５７３より送信する（ＳＴＥＰ１ａ）。
そして、ＡＶデータ送信装置３の送信用ＩＤコードをＩＤ管理入力部５７２で受信すると（ＳＴＥＰ５ａ）、受信した送信用ＩＤコードをＩＤ管理制御部５７１によって送信用ＩＤ記憶部５７０ａに格納する（ＳＴＥＰ６ａ）。その後、ＩＤ管理制御部５７１において、この送信用ＩＤコードと一致した回数を表すｋ１を０として初期化するとともに（ＳＴＥＰ５１ａ）、送信用ＩＤ記憶部５７０ａへの格納後の時間ｔ１を計測するタイマをリセットする（ＳＴＥＰ５２ａ）。
又、ＳＴＥＰ５０ａにおいて、ＧｅｔＴＸキー７０１ａの操作が確認されなかったとき（Ｎｏ）、操作部５７４のＧｅｔＲＸキー７０１ｂが操作されてＡＶデータ受信装置４の受信用ＩＤコードの獲得が指示されたか否かを確認する（ＳＴＥＰ５０ｂ）。ＧｅｔＲＸキー７０１ｂが操作されると（Ｙｅｓ）、ＡＶデータ受信装置４の受信用ＩＤコードの送信要求を行うＲＸＩＤ要求信号を送信する（ＳＴＥＰ１ｂ）。そして、ＡＶデータ受信装置４の受信用ＩＤコードを受信すると（ＳＴＥＰ５ｂ）、受信用ＩＤ記憶部５７０ｂに格納する（ＳＴＥＰ６ｂ）。その後、この受信用ＩＤコードと一致した回数を表すｋ２を０として初期化するとともに（ＳＴＥＰ５１ｂ）、受信用ＩＤ記憶部５７０ｂへの格納後の時間ｔ２を計測するタイマをリセットする（ＳＴＥＰ５２ｂ）。
このようにＳＴＥＰ５２ａ又はＳＴＥＰ５２ｂにおいて、計測時間ｔ１，ｔ２を測定するタイマがリセットされると、送信用ＩＤ記憶部５７０ａ及び受信用ＩＤ記憶部５７０ｂのいずれにもＩＤコードが格納されたか否かが確認される（ＳＴＥＰ１０１）。このとき、送信用ＩＤ記憶部５７０ａ及び受信用ＩＤ記憶部５７０ｂのそれぞれに送信用ＩＤコード及び受信用ＩＤコードが格納されていると（Ｙｅｓ）、この送信用ＩＤコード及び受信用ＩＤコードが一致するか否かがＩＤ管理制御部５７１で確認される（ＳＴＥＰ１０２）。
そして、送信用ＩＤコード及び受信用ＩＤコードが一致したとき（Ｙｅｓ）、送信用ＩＤ記憶部５７０ａ及び受信用ＩＤ記憶部５７０ｂそれぞれに格納された送信用ＩＤコード及び受信用ＩＤコードが、同一のＡＶデータ無線通信システムにおけるＩＤコードであるため、送信用ＩＤコード及び受信ＩＤコードそれぞれとの一致した回数ｋ１、ｋ２を１つ計数する（ＳＴＥＰ１０３）。このように計数された回数ｋ１、ｋ２のうち多い方の値ｋｍａｘを選択し、回数ｋ１、ｋ２の値を選択した回数ｋｍａｘとして同一の値に変更する（ＳＴＥＰ５１ｃ）。又、計測時間ｔ１、ｔ２のうち長い方の値ｔｍａｘを選択し、計測時間ｔ１、ｔ２の値を選択した時間ｔｍａｘとして同一の値に変更する（ＳＴＥＰ５２ｃ）。
又、ＳＴＥＰ５０ｂにおいて、ＧｅｔＲＸキー７０１ｂの操作が確認されなかったとき（Ｎｏ）、操作部５７４のＣｈｋキー７０２が操作されてＡＶデータ送信装置３又はＡＶデータ受信装置４のＩＤコードの確認が指示されたか否かを確認する（ＳＴＥＰ５５）。Ｃｈｋキー７０２が操作されると（Ｙｅｓ）、第２の実施形態と同様、ＩＤコード確認の対象となるＡＶデータ送信装置３又はＡＶデータ受信装置４に対してＩＤコードの送信要求を行うＩＤ要求信号を送信する（ＳＴＥＰ７）。そして、ＩＤコードを受信すると（ＳＴＥＰ１１）、この受信したＩＤコードを、送信用ＩＤ記憶部５７０ａ及び受信用ＩＤ記憶部５７０ｂそれぞれに格納している送信用ＩＤコード及び受信用ＩＤコードと比較し、一致するか否かを確認する（ＳＴＥＰ１２）。
ＳＴＥＰ１２での比較結果より受信したＩＤコードが送信用ＩＤ記憶部５７０ａ内の送信用ＩＤコードと一致するか否か確認し（ＳＴＥＰ５６ａ）、送信用ＩＤコードと一致するときは（Ｙｅｓ）、回数ｋ１を１つ計数する（ＳＴＥＰ５７ａ）。又、ＳＴＥＰ５７ａでの計数動作を行ったとき、又は、送信用ＩＤコードと不一致であるときは（Ｎｏ）、ＳＴＥＰ１２での比較結果より受信したＩＤコードが受信用ＩＤ記憶部５７０ｂ内の受信用ＩＤコードと一致するか否か確認し（ＳＴＥＰ５６ｂ）、受信用ＩＤコードと一致すると（Ｙｅｓ）、回数ｋ２を１つ計数する（ＳＴＥＰ５７ｂ）。
その後、ＳＴＥＰ１２での比較結果を結果表示部５７５に与えて、結果表示部５７５で比較結果を表示する（ＳＴＥＰ１３）。このとき、（１）送信用ＩＤ記憶部５７０ａ内の送信用ＩＤコードのみと一致するとき、（２）受信用ＩＤ記憶部５７０ｂ内の受信用ＩＤコードのみと一致するとき、（３）送信用ＩＤ記憶部５７０ａ及び受信用ＩＤ記憶部５７０ｂ内それぞれの送信用ＩＤコード及び受信用ＩＤコードが一致するとともにこのＩＤコードと一致するとき、（４）送信用ＩＤ記憶部５７０ａ及び受信用ＩＤ記憶部５７０ｂ内それぞれの送信用ＩＤコード及び受信用ＩＤコードのいずれにも一致しないときの各場合を示す表示が行われる。
このように比較結果が表示されると、送信用ＩＤ記憶部５７０ａ内の送信用ＩＤコードと一致した回数ｋ１がＫ１以上となったか否かが確認される（ＳＴＥＰ５８ａ）。そして、送信用ＩＤコードと一致した回数ｋ１が所定回数Ｋ１よりも少ないとき（Ｎｏ）、受信用ＩＤ記憶部５７０ｂ内の受信用ＩＤコードと一致した回数ｋ２が所定回数Ｋ２以上となったか否かが確認される（ＳＴＥＰ５８ｂ）。
又、ＳＴＥＰ５５で、Ｃｈｋキー７０２の操作が確認されなかったとき（Ｎｏ）、送信用ＩＤ記憶部５７０ａ内の送信用ＩＤコードを消去するためにＧｅｔＴＸキー７０１ａが操作されたか否かが確認される（ＳＴＥＰ１０４ａ）。更に、このとき、ＧｅｔＴＸキー７０１ａの操作が確認されなかったとき（Ｎｏ）、受信用ＩＤ記憶部５７０ｂ内の受信用ＩＤコードを消去するためにＧｅｔＲＸキー７０１ｂが操作されたか否かが確認される（ＳＴＥＰ１０４ｂ）。
又、ＳＴＥＰ５２ｃで計測時間ｔ１，ｔ２を同一の値としたとき、又は、ＳＴＥＰ１０１で送信用ＩＤコード及び受信用ＩＤコードのいずれか一方のみしか格納していないとき（Ｎｏ）、又は、ＳＴＥＰ１０２で記憶した送信用ＩＤコード及び受信用ＩＤコードが不一致であるとき（Ｎｏ）、又は、ＳＴＥＰ５８ｂで受信用ＩＤコードとの一致回数ｋ２が所定回数Ｋ２より少ないとき（Ｎｏ）、又は、ＳＴＥＰ１０４ａでＧｅｔＲＸキー７０１ｂが操作されていないとき（Ｎｏ）、送信用ＩＤコードが格納されてからの計測時間ｔ１が所定時間Ｔ以上であるか否かが確認される（ＳＴＥＰ５３ａ）。そして、計測時間ｔ１が所定時間Ｔを超えていないとき（Ｎｏ）、受信用ＩＤコードが格納されてからの計測時間ｔ２が所定時間Ｔ以上であるか否かが確認される（ＳＴＥＰ５３ｂ）。
又、ＳＴＥＰ５３ａで計測時間ｔ１が所定時間Ｔ以上となるとき（Ｙｅｓ）、又は、ＳＴＥＰ５８ａで送信用ＩＤコードと一致する回数ｋ１が所定回数Ｋ１以上となるとき（Ｙｅｓ）、又は、ＳＴＥＰ１０４ａでＧｅｔＴＸキー７０１ａが操作されたとき（Ｙｅｓ）、送信用ＩＤ記憶部５７０ａ内の送信用ＩＤコードと受信用ＩＤ記憶部５７０ｂ内の受信用ＩＤコードが一致しているか確認される（ＳＴＥＰ１０５）。このとき、一致しない場合（Ｎｏ）、送信用ＩＤ記憶部５７０ａ内に格納している送信用ＩＤコードを消去する（ＳＴＥＰ１４ａ）。更に、ＳＴＥＰ５３ｂで計測時間ｔ２が所定時間Ｔ以上となるとき（Ｙｅｓ）、又は、ＳＴＥＰ５８ｂで受信用ＩＤコードと一致する回数ｋ２が所定回数Ｋ２以上となるとき（Ｙｅｓ）、又は、ＳＴＥＰ１０４ｂでＧｅｔＲＸキー７０１ｂが操作されたとき（Ｙｅｓ）、受信用ＩＤ記憶部５７０ｂ内に格納している送信用ＩＤコードを消去する（ＳＴＥＰ１４ｂ）。
そして、ＳＴＥＰ１４ａで送信用ＩＤコードの消去又はＳＴＥＰ１４ｂで受信用ＩＤコードの消去を行うと、送信用ＩＤ記憶部５７０ａ及び受信用ＩＤ記憶部５７０ｂがともに空き状態となっているか否かが確認される（ＳＴＥＰ１０５）。即ち、送信用ＩＤコード及び受信用ＩＤコードがいずれも消去されたか否かが確認される。このとき、送信用ＩＤ記憶部５７０ａ及び受信用ＩＤ記憶部５７０ｂのいずれか一方にＩＤコードが格納されている場合（Ｎｏ）、ＳＴＥＰ５０ａに移行し、ＳＴＥＰ５０ａ以降の動作を再び行う。又、送信用ＩＤ記憶部５７０ａ及び受信用ＩＤ記憶部５７０ｂの両方からＩＤコードが削除された場合（Ｙｅｓ）、動作を終了する。又、ＳＴＥＰ１０５で送信用ＩＤコード及び受信用ＩＤコードが一致するとき（Ｙｅｓ）、送信用ＩＤ記憶部５７０ａ及び受信用ＩＤ記憶部５７０ｂの両方からＩＤコードを削除し（ＳＴＥＰ１４ｃ）、動作を終了する。
このようなフローチャートに従って、ＩＤ管理用リモコン５ａが動作するとき、各動作状態での結果表示部５７５での表示状態が、第１２Ｂ図〜第１２Ｉ図のようになる。即ち、まず、送信用ＩＤコード及び受信用ＩＤコードのいずれについても格納されていないときは、第１２Ａ図のように、結果表示部５７５の表示が”ＴＸ：Ｅｍｐｔｙ  ＲＸ：Ｅｍｐｔｙ”となる。尚、ＴＸが送信用ＩＤコードの記録状態を表し、ＲＸが受信用ＩＤコードの記録状態を表している。
このとき、ＧｅｔＴＸキー７０１ａが操作されて送信用ＩＤコードが送信用ＩＤ記憶部５７０ａに格納されると、第１２Ｂ図のように、結果表示部５７５の表示が”ＴＸ：ＩＤ  Ｇｅｔ  ＲＸ：Ｅｍｐｔｙ”となる。又、ＧｅｔＲＸキー７０１ｂが操作されて受信用ＩＤコードが受信用ＩＤ記憶部５７０ｂに格納されると、第１２Ｃ図のように、結果表示部５７５の表示が”ＴＸ：Ｅｍｐｔｙ  ＲＸ：ＩＤ  Ｇｅｔ”となる。
よって、例えば、第１図のようなＡＶデータ無線通信システムにおいて、ＡＶデータ送信装置３の通信範囲でＧｅｔＴＸキー７０１ａが操作されると、ＩＤコードＡが送信用ＩＤ記憶部５７０ａに格納されて、第１２Ｂ図のように表示される。又、ＡＶデータ受信装置４ａの通信範囲でＧｅｔＲＸキー７０１ｂが操作されると、ＩＤコードＡが受信用ＩＤ記憶部５７０ｂに格納されて、第１２Ｃ図のように表示される。又、ＡＶデータ受信装置４ｂの通信範囲でＧｅｔＲＸキー７０１ｂが操作されると、ＩＤコードＢが受信用ＩＤ記憶部５７０ｂに格納されて、第１２Ｃ図のように表示される。
更に、第１２Ｂ図に表示されるような状態のときにＧｅｔＲＸキー７０１ｂが操作されて受信用ＩＤコードが獲得された場合、又は、第１２Ｃ図に表示されるような状態のときにＧｅｔＴＸキー７０１ａが操作されて送信用ＩＤコードが獲得された場合、送信用ＩＤ記憶部５７０ａ及び受信用ＩＤ記憶部５７０ｂのそれぞれに送信用ＩＤコード及び受信用ＩＤコードが格納された状態となるため、第１２Ｄ図のように、結果表示部５７５の表示が”ＴＸ：ＩＤ  Ｇｅｔ  ＲＸ：ＩＤ  Ｇｅｔ”となる。そして、このとき、送信用ＩＤ記憶部５７０ａ及び受信用ＩＤ記憶部５７０ｂのそれぞれに格納した送信用ＩＤコード及び受信用ＩＤコードが一致すると、第１２Ｅ図のように、結果表示部５７５の表示が”ＴＸ：Ｓａｍｅ  ＩＤ  ＲＸ：Ｓａｍｅ  ＩＤ”となる。
よって、例えば、第１図のようなＡＶデータ無線通信システムにおいて、ＩＤコードＡが送信用ＩＤ記憶部５７０ａに格納されているときに、ＡＶデータ受信装置４ｂの通信範囲でＧｅｔＲＸキー７０１ｂが操作されると、ＩＤコードＢが受信用ＩＤ記憶部５７０ｂに格納され、第１２Ｄ図のように表示される。又、ＩＤコードＢが受信用ＩＤ記憶部５７０ｂに格納されて、ＡＶデータ送信装置３の通信範囲でＧｅｔＴＸキー７０１ａが操作されるときも、第１２Ｄ図のように表示される。又、ＡＶデータ送信装置３及びＡＶデータ受信装置４ａの両方と通信行って、送信用ＩＤ記憶部５７０ａ及び受信用ＩＤ記憶部５７０ｂの両方にＩＤコードＡが格納されると、第１２Ｅ図のように表示される。
更に、第１２Ｂ図及び第１２Ｄ図に表示されるような状態のときにＣｈｋキー７０２が操作されて、ＡＶデータ送信装置３又はＡＶデータ受信装置４のいずれかから受信したＩＤコードが送信用ＩＤ記憶部５７０ａに格納した送信用ＩＤコードと一致する場合、第１２Ｆ図のように、送信用ＩＤコードと一致することを示すため、結果表示部５７５の表示が”Ｓａｍｅ  ＴＸ”となる。又、第１２Ｃ図及び第１２Ｄ図に表示されるような状態のときにＣｈｋキー７０２が操作されて、ＡＶデータ送信装置３又はＡＶデータ受信装置４のいずれかから受信したＩＤコードが受信用ＩＤ記憶部５７０ｂに格納した受信用ＩＤコードと一致する場合、第１２Ｇ図のように、受信用ＩＤコードと一致することを示すため、結果表示部５７５の表示が”Ｓａｍｅ  ＲＸ”となる。
又、第１２Ｅ図に表示されるような状態のときにＣｈｋキー７０２が操作されて、ＡＶデータ送信装置３又はＡＶデータ受信装置４のいずれかから受信したＩＤコードが送信用ＩＤ記憶部５７０ａ及び受信用ＩＤ記憶部５７０ｂそれぞれに格納したＩＤコードと一致する場合、第１２Ｈ図のように、送信用ＩＤコード及び受信用ＩＤコードと一致することを示すため、結果表示部５７５の表示が”Ｓａｍｅ  ＴＸ＆ＲＸ”となる。
又、第１２Ｂ図〜第１２Ｅ図に表示されるような状態のときにＣｈｋキー７０２が操作されて、ＡＶデータ送信装置３又はＡＶデータ受信装置４のいずれかから受信したＩＤコードが送信用ＩＤ記憶部５７０ａに格納した送信用ＩＤコード又は受信用ＩＤ記憶部５７０ｂに格納した受信用ＩＤコードのいずれとも不一致である場合、第１２Ｉ図のように、いずれのＩＤコードとも一致しないことを示すため、結果表示部５７５の表示が”Ｄｉｆｆｅｒ”となる。
よって、例えば、第１図のようなＡＶデータ無線通信システムにおいて、ＩＤコードＡが送信用ＩＤ記憶部５７０ａに格納されているとき、ＡＶデータ受信装置４ａの通信範囲でＣｈｋキー７０２が操作されると、ＩＤコードＡが受信されて送信用ＩＤ記憶部５７０ａ内の送信用ＩＤコードＡと一致するため、第１２Ｆ図のように表示される。又、ＩＤコードＡが受信用ＩＤ記憶部５７０ｂに格納されているとき、ＡＶデータ送信装置３又はＡＶデータ受信装置４ａの通信範囲でＣｈｋキー７０２が操作されると、ＩＤコードＡが受信されて受信用ＩＤ記憶部５７０ｂ内の受信用ＩＤコードＡと一致するため、第１２Ｇ図のように表示される。
又、ＩＤコードＡが送信用ＩＤ記憶部５７０ａ及び受信用ＩＤ記憶部５７０ｂに格納されて、ＡＶデータ受信装置４ａの通信範囲でＣｈｋキー７０２が操作されると、ＩＤコードＡが受信されて送信用ＩＤ記憶部５７０ａ内の送信用ＩＤコードＡ及び受信用ＩＤ記憶部５７０ｂ内の受信用ＩＤコードＡの両方と一致するため、第１２Ｈ図のように表示される。又、ＩＤコードＡが送信用ＩＤ記憶部５７０ａ及び受信用ＩＤ記憶部５７０ｂに格納されて、ＡＶデータ受信装置４ｂの通信範囲でＣｈｋキー７０２が操作されると、ＩＤコードＢが受信されて送信用ＩＤ記憶部５７０ａ内の送信用ＩＤコードＡ及び受信用ＩＤ記憶部５７０ｂ内の受信用ＩＤコードＡの両方と不一致となるため、第１２Ｉ図のように表示される。
このように、本実施形態では、１台のＡＶデータ送信装置３が複数台のＡＶデータ受信装置４に対して通信許可するようなＡＶデータ無線通信システムについても、同一のＩＤコードとなる装置を確認することができる。又、異なる送信用ＩＤコードと受信用ＩＤコードとを格納した場合、それぞれのＩＤコードを使用するＡＶデータ無線通信システムにおける装置の確認を行うことができる。更に、第１０図及び第１１図のフローチャートのようにＩＤ管理用リモコン５ａを動作させることで、記憶したＩＤコードを一定時間又はユーザの操作又は通信許可された台数の上限などに基づいて消去させることができ、その安全性を保証することができる。
＜第４の実施形態＞
本発明の第４の実施形態について、図面を参照して以下に説明する。尚、本実施形態のＡＶデータ無線通信システムにおいて、ＡＶデータ送信装置３及びＡＶデータ受信装置４の内部構成は、第１の実施形態と同様、第２図及び第３図のような構成となる。又、第１３図は、本実施形態におけるＩＤ管理用リモコン５ｂの内部構成を示すブロック図であり、第４図と同一の部分については同一の符号を付して、その詳細な説明は省略する。
第１３図のＩＤ管理用リモコン５ｂは、第５図のＩＤ管理用リモコン５におけるＩＤ記憶部５７０の代わりとなる４つのＩＤ記憶部５７０ｐ〜５７０ｓを備えるとともに、ＩＤ記憶部５７０ｐ〜５７０ｓに格納されたＩＤコードの関係を示す通信関係記憶用メモリ５７６が付加された構成となる。即ち、ＩＤ管理用リモコン５ｂは、ＡＶデータ送信装置３及びＡＶデータ受信装置４が備えるＩＤコードを複数格納することができる。
又、このＩＤ管理用リモコン５ｂは、操作部５７４として、第１４図のように、ＡＶデータ送信装置３及びＡＶデータ受信装置４からＩＤコードを獲得するためのＧｅｔキー７０１ｐ〜７０１ｓと、ＩＤ記憶部５７０ｐ〜５７０ｓに格納されたＩＤコードを比較するためのＣｈｋキー７０２ａと、ＩＤ記憶部５７０ｐ〜５７０ｓに格納されたＩＤコードと比較するためのＣｈｋキー７０２ｂと、ＩＤ記憶部５７０ｐ〜５７０ｓに格納されたＩＤコードを消去するためのＣｌｒキー７０３と、第３７図のリモコン１１と同一の機能を備えたＡＶソース機器１の動作を制御するためのキー部分７０４とを備える。
このような構成のＩＤ管理用リモコン５ｂの動作について、第１５図を参照して説明する。尚、第１５図では、複数のＡＶデータ無線通信システムを構成するＡＶデータ送信装置及びＡＶデータ受信装置の関係を示すブロック図である。第１５図において、送信用ＩＤコードＡを備えたＡＶデータ送信装置３ａと受信用ＩＤコードＡを備えたＡＶデータ受信装置４ａとによってＡＶデータ無線通信システムが構成されるとともに、送信用ＩＤコードＢを備えたＡＶデータ送信装置３ｂと受信用ＩＤコードＢを備えたＡＶデータ受信装置４ｂとによってＡＶデータ無線通信システムが構成される。更に、第１５図において、受信用ＩＤコードＣ、Ｄを備えたＡＶデータ受信装置４ｃ，４ｄも配置されるものとする。
ＡＶデータ送信装置３ａ，３ｂ及びＡＶデータ受信装置４ａ〜４ｄがこのような関係で配置されているとき、まず、ＡＶデータ送信装置３ａの通信可能領域でＩＤ管理用リモコン５ｂのＧｅｔキー７０１ｐが操作されると、ＩＤ管理出力部５７３よりＩＤ要求信号がＡＶデータ送信装置３ａに送信される。よって、ＡＶデータ送信装置３ａより送信用ＩＤコードＡが送信されて、このＩＤコードＡをＩＤ管理入力部５７２で受信する。このとき、このＧｅｔキー７０１ｐが操作されたときに格納するように設定されたＩＤ記憶部５７０ｐにＩＤコードＡを格納するように、ＩＤ管理制御部５７１が書き込み制御を行う。
同様に、ＡＶデータ受信装置４ａの通信可能領域でＩＤ管理用リモコン５ｂのＧｅｔキー７０１ｑが、ＡＶデータ受信装置４ｂの通信可能領域でＩＤ管理用リモコン５ｂのＧｅｔキー７０１ｒが、ＡＶデータ受信装置４ｃの通信可能領域でＩＤ管理用リモコン５ｂのＧｅｔキー７０１ｓがそれぞれ操作されて、ＡＶデータ受信装置４ａのＩＤコードＡ及びＡＶデータ受信装置４ｂのＩＤコードＢ及びＡＶデータ受信装置４ｃのＩＤコードＣがそれぞれ受信される。そして、ＩＤ記憶部５７０ｑにＩＤコードＡが、ＩＤ記憶部５７０ｒにＩＤコードＢが、ＩＤ記憶部５７０ｓにＩＤコードＣが、それぞれ格納されるように、ＩＤ管理制御部５７１が書き込み制御を行う。
尚、このとき、結果表示部５７５で表示されるＩＤ１〜ＩＤ４がそれぞれ、ＩＤ記憶部５７０ｐ〜５７０ｓに格納されたＩＤコードを表すものとすると、ＡＶデータ送信装置３ａよりＩＤコードＡを獲得したとき、ＩＤ記憶部５７０ｐに格納したことをＩＤ管理制御部５７１が結果表示部５７５に通知すると、第１６Ａ図のように、”Ｇｅｔ  ＩＤ１”と表示する。又、ＡＶデータ受信装置４ａ〜４ｃそれぞれからＩＤコードＡ〜Ｃを獲得したときも同様に、ＩＤ記憶部５７０ｑ〜５７０ｓに格納したことを示すために、結果表示部５７５に”Ｇｅｔ  ＩＤ２”、”Ｇｅｔ  ＩＤ３”、”Ｇｅｔ  ＩＤ４”と表示する。
このように、ＩＤ記憶部５７０ｐ〜５７０ｓのそれぞれにＩＤコードＡ，Ａ，Ｂ，Ｃが格納されたとき、Ｃｈｋキー７０２ａが操作されると、ＩＤ管理制御部５７１によってＩＤ記憶部５７０ｐ〜５７０ｓそれぞれに格納されたＩＤコードが読み出されて比較される。よって、ＩＤ管理制御部５７１において、ＩＤコードＡ，Ａ，Ｂ，Ｃが比較され、ＩＤ記憶部５７０ｐ，５７０ｑに格納されたＩＤコードがＩＤコードＡで同一であることが確認される。よって、ＩＤ記憶部５７０ｐ，５７０ｑに格納されたＩＤコードが一致することを示す比較結果が通信関係記憶用メモリ５７６に与えられる。よって、通信関係記憶用メモリ５７６では、ＩＤ記憶部５７０ｐ〜５７０ｓのうちＩＤコードが一致するものがグループとして記録される。
このとき、ＩＤコードＡとしてＩＤ記憶部５７０ｐ，５７０ｑに格納されたＩＤコードが一致することをＩＤ管理制御部５７１が結果表示部５７５に通知し、結果表示部５７５では、第１６Ｂ図のように、”ＩＤ１＝ＩＤ２”と表示される。又、ＩＤ記憶部５７０ｒ，５７０ｓに格納されたＩＤコードＢ，Ｃは一致するＩＤコードがないため、第１６Ｂ図のように、”ＩＤ３”、”ＩＤ４”が単独で結果表示部５７５に表示される。
又、ＡＶデータ送信装置３ｂ又はＡＶデータ受信装置４ｄなどの通信可能領域においてＣｈｋキー７０２ｂが操作されると、ＡＶデータ送信装置３ｂ又はＡＶデータ受信装置４ｄにＩＤ要求信号をＩＤ出力部５７３より送信する。そして、ＡＶデータ送信装置３ｂ又はＡＶデータ受信装置４ｄから送信される送信用ＩＤコードＢ又は受信用ＩＤコードＤをＩＤ管理入力部５７２で受信すると、ＩＤ管理制御部５７１によってＩＤ記憶部５７０ｐ〜５７０ｓに格納したＩＤコードＡ，Ａ〜Ｃが読み出される。
そして、受信したＩＤコードＢ又はＩＤコードＤが、ＩＤ記憶部５７０ｐ〜５７０ｓに格納したＩＤコードＡ，Ａ〜Ｃそれぞれと比較され、一致するＩＤコードが有るか否かが確認され、この比較結果が結果表示部５７５に通知されて表示される。このとき、ＡＶデータ送信装置３ｂのＩＤコードＢを受信したときは、ＩＤ記憶部５７０ｒに格納したＡＶデータ受信装置４ｂのＩＤコードＢと一致することを確認するため、ＩＤ記憶部５７０ｒ内のＩＤコードＢと一致することを示すように、第１６Ｃ図のように、結果表示部５７５では”Ｇｅｔ  ＩＤ＝ＩＤ３”が表示される。又、ＡＶデータ受信装置４ｄのＩＤコードＤを受信したときは、ＩＤ記憶部５７０ｐ〜５７０ｓのいずれに格納したＩＤコードとも一致しないため、一致するＩＤコードが存在しないことを示すように、第１６Ｄ図のように、結果表示部５７５では”Ｄｉｆｆｅｒ”が表示される。
又、Ｃｌｒキー７０３が操作されると、ＩＤ記憶部５７０ｐ〜５７０ｓに格納されたＩＤコードＡ，Ａ〜ＣがそれぞれＩＤ管理制御部５７１によって消去されて、ＩＤ記憶部５７０ｐ〜５７０ｓが空き状態とされる。このとき、ＩＤ記憶部５７０ｐ〜５７０ｓに格納されたＩＤコードが消去されたことを結果表示部５７５に表示するようにしても構わない。
又、ＩＤコードＡ，Ａ〜ＣがそれぞれＩＤ記憶部５７０ｐ〜５７０ｓに格納された状態で、Ｇｅｔキー７０１ｐ〜７０１ｓが操作されると、Ｇｅｔキー７０１ｐ〜７０１ｓそれぞれに対応したＩＤ記憶部５７０ｐ〜５７０ｓに格納されたＩＤコードが消去される。即ち、Ｇｅｔキー７０１ｐが操作されると、ＩＤ記憶部５７０ｐのＩＤコードＡが、Ｇｅｔキー７０１ｑが操作されると、ＩＤ記憶部５７０ｑのＩＤコードＡが、Ｇｅｔキー７０１ｒが操作されると、ＩＤ記憶部５７０ｒのＩＤコードＢが、Ｇｅｔキー７０１ｓが操作されると、ＩＤ記憶部５７０ｓのＩＤコードＣが、それぞれ消去される。このとき、ＩＤ記憶部５７０ｐ〜５７０ｓのうち、ＩＤコードが消去されたものを結果表示部５７５で表示するようにしても構わない。
尚、本実施形態において、ＩＤ記憶部５７０ｐ〜５７０ｓそれぞれの状態を常に結果表示部５７５に表示するようにしても構わない。又、本実施形態では、ＩＤ記憶部５７０ｐ〜５７０ｓの４つとしたが、４つに限るものではなく、２以上の複数としても構わない。複数のＩＤ記憶部とするのではなく、１つのＩＤ記憶部を複数の記憶領域に分割し、各記憶領域を本実施形態のＩＤ記憶部５７０ｐ〜５７０ｓのように動作管理するようにしても構わない。又、本実施形態において、第２又は第３の実施形態のように、ＩＤ記憶部にＩＤコードを格納してから所定時間経過後にＩＤ記憶部に格納したＩＤコードを削除するようにしても構わないし、一致した回数が所定回数を超えたときにＩＤ記憶部に格納したＩＤコードを削除するようにしても構わない。
＜第５の実施形態＞
本発明の第５の実施形態について、図面を参照して以下に説明する。尚、本実施形態のＡＶデータ無線通信システムにおいて、ＡＶデータ送信装置３及びＡＶデータ受信装置４の内部構成は、第１の実施形態と同様、第２図及び第３図のような構成となる。又、第１７図は、本実施形態におけるＩＤ管理用リモコン５ｃの内部構成を示すブロック図であり、第１３図と同一の部分については同一の符号を付して、その詳細な説明は省略する。
第１７図のＩＤ管理用リモコン５ｃは、第１３図のＩＤ管理用リモコン５ｂにおけるＩＤ記憶部５７０ｐ〜５７０ｓの代わりとなるＩＤ記憶用メモリ５７０ｘを備えた構成となる。このＩＤ記憶用メモリ５７０ｘは、第２０図のように、格納されたＩＤコード毎に領域が設けられ、各ＩＤコードが記録される領域には、そのＩＤコードのコード名及びコードの種類と、そのＩＤコードを備えた装置の設置場所及び装置の種類とが記録される。
又、ＩＤ管理用リモコン５ｃは、操作部５７４として、第１８図のように、Ｇｅｔキー７０１と、ＩＤ記憶用メモリ５７０ｘに格納されたＩＤコードを比較するためのＣｈｋキー７０２ｘと、ＩＤ記憶メモリ５７０ｘに格納されたＩＤコードを消去するためのＣｌｒキー７０３と、ＩＤ記憶メモリ５７０ｘに格納されたＩＤコードを備えた装置の設置場所及び装置の種類を登録するための登録用キー７０５とを備える。
このようにＩＤ管理用リモコン５ｃが構成されるとき、第１９図のように、ＡＶデータ送信装置３ａ〜３ｃ及びＡＶデータ受信装置４ａ〜４ｃ，４ｘ，４ｙが設置されるものとする。即ち、部屋ｒ１にＡＶデータ送信装置３ａ，３ｂ及びＡＶデータ受信装置４ｃが、部屋ｒ２にＡＶデータ受信装置４ａ，４ｂが、部屋ｒ３にＡＶデータ送信装置３ｃ及びＡＶデータ受信装置４ｘ，４ｙが、設置される。又、ＡＶデータ送信装置３ａ及びＡＶデータ受信装置４ａ，４ｘがＩＤコードＡを、ＡＶデータ送信装置３ｂ及びＡＶデータ受信装置４ｂがＩＤコードＢを、ＡＶデータ送信装置３ｃ及びＡＶデータ受信装置４ｃ，４ｙがＩＤコードＣを、それぞれ備える。
このようにＡＶデータ送信装置３ａ〜３ｃ及びＡＶデータ受信装置４ａ〜４ｃ，４ｘ，４ｙが設置されるとき、部屋ｒ１のＡＶデータ送信装置３ａの通信可能領域においてＩＤ管理用リモコン５ｃのＧｅｔキー７０１が操作されると、ＡＶデータ送信装置３ａに対してＩＤ要求信号が送信され、ＡＶデータ送信装置３ａの送信用ＩＤコードＡが受信される。この送信用ＩＤコードＡが受信されると、登録用キー７０５が操作されて、ＡＶデータ送信装置３ａの設置場所が部屋ｒ１であるとともにＡＶデータ送信装置３ａがＳＴＢ（Ｓｅｔ  Ｔｏｐ  Ｂｏｘ）であることが入力される。よって、ＩＤ記憶用メモリ５７０ｘのアドレスａ１となる記憶領域には、第２０図のように、ＩＤコードＡとともに、送信用ＩＤコードであることを示す”ＴＸ”、ＡＶデータ送信装置３ａの設置場所である”ｒ１”、ＡＶデータ送信装置３ａの装置の種類である”ＳＴＢ”が記録される。
同様に、部屋ｒ１のＡＶデータ送信装置３ｂ及びＡＶデータ受信装置４ｃ、部屋ｒ２のＡＶデータ受信装置４ａ，４ｂ、部屋ｒ３のＡＶデータ送信装置３ｃ及びＡＶデータ受信装置４ｘ，４ｙ、それぞれの通信可能領域において、ＩＤ管理用リモコン５ｃのＧｅｔキー７０１が操作されて、各装置のＩＤコードが獲得された後、登録用キー７０５が操作されて、装置の設置場所及び装置の種類が入力される。このようにすることで、第２０図のように、アドレスａ２〜ａ８となる記憶領域に、各装置のＩＤコード、ＩＤコードの種類、装置の設置場所、装置の種類がともに記録される。
第２０図のように、ＡＶデータ送信装置３ａ〜３ｃ及びＡＶデータ受信装置４ａ〜４ｃ，４ｘ，４ｙのＩＤコードがＩＤ記憶用メモリ５７０ｘに格納されたとき、Ｃｈｋキー７０２ｘが操作されると、ＩＤ記憶用メモリ５７０ｘ内に格納されたＩＤコードがＩＤ管理制御部５７１によって読み出されて、各ＩＤコードが比較される。そして、一致するＩＤコード毎にグループ化する。このとき、グループ化された各ＩＤコードの関係を示すために、各グループ毎に、そのグループを構成するＩＤコードのアドレス位置が通信関係記憶用メモリ５７６に記録されるとともに、結果表示部５７５において各グループを示す表示がなされる。
即ち、ＩＤコードＡによって通信が行われるグループｇ１が、ＡＶデータ送信装置３ａ及びＡＶデータ受信装置４ａ，４ｘによって構成されるため、このグループｇ１として、アドレスａ１，ａ４，ａ７が組み合わされて通信関係記憶用メモリ５７６に格納される。又、ＩＤコードＢによって通信が行われるグループｇ２として、アドレスａ２，ａ５が組み合わされて通信関係記憶用メモリ５７６に格納される。又、ＩＤコードＣによって通信が行われるグループｇ３として、アドレスａ３，ａ６，ａ８が組み合わされて通信関係記憶用メモリ５７６に格納される。
よって、通信関係記憶用メモリ５７６をＩＤ管理制御部５７１が参照することで、例えば、グループｇ１を構成するＡＶデータ通信システムを構成する各装置のＩＤコードが、ＩＤ記憶用メモリ５７０ｘのアドレスａ１，ａ４，ａ７による各記憶領域に格納されていることを認識する。そして、ＩＤ記憶用メモリ５７０ｘのアドレスａ１，ａ４，ａ７の記憶領域内に記録したデータを読み出すことによって、グループｇ１を構成するＡＶデータ通信システムにおいて、部屋ｒ１のＳＴＢ３ａが送信側となるとともに、部屋ｒ２のテレビ４ａ及び部屋ｒ３のプロジェクタ４ｘが受信側となることを、ＩＤ管理制御部５７１で確認する。
同様にして、グループｇ２，ｇ３のＡＶデータ無線通信システムを構成するＡＶデータ通信システムの送信側及び受信側となる装置を、ＩＤ管理制御部５７１が通信関係記憶用メモリ５７６によって各グループを構成する装置のＩＤコードが格納されたアドレス位置を確認した後、そのアドレス位置のデータをＩＤ記憶用メモリ５７０ｘより読み出すことで確認する。このように、グループｇ１〜ｇ３それぞれのＡＶデータ無線通信システムを構成する装置が確認されると、結果表示部５７５に通知される。
よって、結果表示部５７５には、グループｇ１〜ｇ３それぞれのＡＶデータ無線通信システム毎に、第２１図のように、送信側となる装置の設置場所及び種類と受信側となる装置の設置場所及び種類が表示される。即ち、結果表示部５７５において、グループｇ１については、”送信側：ｒ１−ＳＴＢ  受信側：ｒ２−ＴＶ，ｒ３−プロジェクタ”の、グループｇ２については、”送信側：ｒ１−チューナ  受信側：ｒ２−モニタ”、グループｇ３については、”送信側：ｒ３−ＶＴＲ  受信側：ｒ１−ＴＶ，ｒ３−ＴＶ”のように、それぞれのグループ毎に表示される。尚、同一の部屋に設置されている装置が同一種類の場合、各装置毎に判別するための番号を割り振るようにしても構わない。又、装置の種類を製品名によって判別するものとしても構わない。
このように、一度、Ｃｈｋキー７０２ｘが操作されて、各ＡＶデータ無線通信システムを構成するグループが確認された後に、別のＡＶデータ送信装置３又はＡＶデータ受信装置４の通信可能領域においてＧｅｔキー７０１が操作されると、ＩＤ記憶用メモリ５７０ｘに格納されるとともに、ＩＤ管理制御部５７１において、受信したＩＤコードが各グループのＩＤコードと比較される。そして、獲得したＩＤコードと同じＩＤコードとなるグループが確認されて、受信したＩＤコードがＩＤ記憶用メモリ５７０ｘで格納された記憶領域のアドレス位置が、同じＩＤコードのグループに組み合わされて、通信関係記憶用メモリ５７６に格納される。又、結果表示部５７５において、受信したＩＤコードと同じＩＤコードのグループを通知するための表示がなされる。
即ち、受信用ＩＤコードＢを備えたＡＶデータ受信装置であるプロジェクタ４ｚが部屋ｒ４に設置されているとともに、このプロジェクタ４ｚの通信可能領域でＩＤ管理用リモコン５ｃのＧｅｔキー７０１が操作されると、プロジェクタ４ｚのＩＤコードＢを受信し、ＩＤ記憶用メモリ５７０ｘのアドレスａ９に格納される。そして、このＩＤコードＢがグループｇ２を構成するＡＶデータ無線通信システムで使用されるＩＤコードであることより、プロジェクタ４ｚがグループｇ２に属することがＩＤ管理制御部５７１で確認され、アドレスａ９がアドレスａ２，ａ５と組み合わされてグループｇ２として通信関係記憶用メモリ５７６に格納される。
又、このとき、第２２図のように、結果表示部５７５において、”Ｇｅｔ  ＩＤ＝グループｇ２”のように表示され、プロジェクタ４ｚがグループｇ２を構成するＡＶデータ無線通信システムに属することが示される。更に、登録用キー７０４が操作されることによって、装置の設置場所が部屋ｒ４であるとともに、装置の種類がプロジェクタであることがアドレスａ９の記憶領域に記録される。又、Ｃｌｋキー７０３が操作されることによって、ＩＤ記憶用メモリ５７０ｘ内に格納されたデータが削除される。
尚、本実施形態において、各グループとなるＡＶデータ無線通信システムを表すための結果表示部５７５における表示例として、第２１図のような表示例を挙げたが、このような表示に限られるものではない。例えば、第２３図のように、ＩＤ記憶用メモリ５７０ｘに格納したＡＶデータ送信装置３及びＡＶデータ受信装置４の関係を表すために、各装置の設置場所及び種類とともに、ＡＶデータの送受信関係を示す矢印を表示するようにしても構わない。
又、第２４Ａ図及び第２４Ｂ図のように、ＩＤ記憶用メモリ５７０ｘに格納したＡＶデータ送信装置３及びＡＶデータ受信装置４それぞれに対して符号を付すとともに、ＡＶデータの送受信関係をこの符号によって結果表示部５７５に表示するようにしても構わない。尚、第２４Ａ図が各グループ毎に表示した表示例であり、第２４Ｂ図がＡＶデータの送受信関係を矢印で表した表示例である。尚、第２４Ａ図及び第２４Ｂ図において、Ａが”ｒ１−ＳＴＢ”を、Ｂが”ｒ１−チューナ”を、Ｃが”ｒ３−ＶＴＲ”を、ａが”ｒ１−ＴＶ”を、ｂが”ｒ２−ＴＶ”を、ｃが”ｒ２−モニタ”を、ｄが”ｒ３−プロジェクタ”を、ｅが”ｒ３−ＴＶ”を、それぞれ表す。
＜第６の実施形態＞
本発明の第６の実施形態について、図面を参照して以下に説明する。第２５図は、本実施形態におけるＡＶデータ送信装置の内部構成を示すブロック図である。又、第２６図は、本実施形態におけるＡＶデータ受信装置の内部構成を示すブロック図である。尚、第２５図及び第２６図において、第２図及び第３図と同一の部分については同一の符号を付して、その詳細な説明は省略する。
第２５図のＡＶデータ送信装置３ｐは、第２図のＡＶデータ送信装置３に、第１〜第５の実施形態のような動作を行うＩＤ管理用リモコン５，５ａ〜５ｃ（第４図、第９図、第１３図、第１７図）から送信される比較結果を表示するための結果表示部５８０が付加された構成となる。又、第２６図のＡＶデータ受信装置４ｐは、第３図のＡＶデータ受信装置４に、ＩＤ管理用リモコン５，５ａ〜５ｃから送信される比較結果を表示するための結果表示部５８１が付加された構成となる。
このようにＡＶデータ送信装置３ｐ及びＡＶデータ受信装置４ｐが構成されるとともに、ＩＤ管理用リモコン５，５ａ〜５ｃにおいて格納したＩＤコード及び受信したＩＤコードの比較結果となる各装置の通信接続関係が送信される。即ち、例えば、ＩＤ管理用リモコン５の場合、ＩＤコードがＩＤ記憶部５７０に格納された後にＧｅｔキー７０１が操作されたとき、受信したＩＤコードとＩＤ記憶部５７０に格納したＩＤコードの比較を行い、得られた比較結果をＩＤ管理出力部５７３より送信する。
そして、ＩＤ管理用リモコン５と通信を行っているＡＶデータ送信装置３ｐ（ＡＶデータ受信装置４ｐ）が、ＩＤ管理入力部５２２（５６２）で受信する。その後、受信した比較結果より、結果表示部５８０（５８１）に”Ｓａｍｅ”又は”Ｄｉｆｆｅｒ”を表示する。尚、かっこ内は、ＡＶデータ受信装置４ｐとＩＤ管理用リモコン５とが通信を行っているときに動作する部分の符号を表す。
即ち、第２７図の状態遷移図のように、第５図の状態遷移図と同様、まず、ＳＴＥＰ１〜ＳＴＥＰ６の動作がＡＶデータ送信装置３ｐ及びＩＤ管理リモコン５の間で行われることで、ＡＶデータ送信装置３ｐのＩＤコードがＩＤ管理リモコン５のＩＤ記憶部５７０に格納される。その後、ＳＴＥＰ７〜ＳＴＥＰ１２の動作がＡＶデータ受信装置４ｐ及びＩＤ管理リモコン５の間で行われることで、ＡＶデータ受信装置４ｐのＩＤコードがＩＤ管理リモコン５のＩＤ記憶部５７０に格納されたＡＶデータ送信装置３ｐのＩＤコードと比較される。
そして、ＩＤ管理リモコン５では、ＩＤ管理制御部５７１における比較結果がＩＤ管理出力部５７３よりＡＶデータ受信装置４ｐに送信され（ＳＴＥＰ２０１）、ＩＤ記憶部５７０内のＩＤコードが消去される（ＳＴＥＰ１４）。又、ＩＤ管理リモコン５より比較結果をＩＤ管理入力部５６２で受信すると（ＳＴＥＰ２０２）、この比較結果がＩＤ管理制御部５６１で確認されて結果表示部５８１に与えられることで、ＩＤ管理リモコン５での比較結果がＡＶデータ受信装置４ｐの結果表示部５８１に表示される（ＳＴＥＰ２０３）。
尚、第２〜第５の実施形態におけるＩＤ管理用リモコン５，５ａ〜５ｃを用いたときも同様に比較結果を送信することで、この比較結果を受信したＡＶデータ送信装置３ｐ又はＡＶデータ受信装置４ｐが、結果表示部５８０又は結果表示部５８１に、第２〜第５の実施形態におけるＩＤ管理用リモコン５，５ａ〜５ｃの結果表示部５７５と同様に、各装置の通信接続関係を表示することができる。
又、本実施形態において、第２８図のように、ＡＶデータ受信装置４ｐが、ＩＤ管理用リモコン５，５ａ〜５ｃより受信した比較結果をＩＤ管理制御部５６１よりＤ／Ａ５４７及びアナログ出力部５４８又はデジタル出力部５５０を介してＡＶ再生装置２に出力するようにしても構わない。このとき、ＡＶ再生装置２において、ＩＤ管理用リモコン５，５ａ〜５ｃによる比較結果より得られる各装置の通信接続関係を表示することができる。
＜第７の実施形態＞
本発明の第７の実施形態について、図面を参照して以下に説明する。第２９図は、本実施形態におけるＡＶデータ送信装置の内部構成を示すブロック図である。又、第３０図は、本実施形態におけるＡＶデータ受信装置の内部構成を示すブロック図である。又、第３１図は、本実施形態におけるＩＤ管理用リモコンの内部構成を示すブロック図である。尚、第２９図〜第３１図において、第２図〜第４図と同一の部分については同一の符号を付して、その詳細な説明は省略する。
第２９図のＡＶデータ送信装置３ｑは、第２図のＡＶデータ送信装置３に、ＩＤ記憶部５２０内のＩＤコードの暗号化を行う暗号化部５９０が付加された構成となる。又、第３０図のＡＶデータ受信装置４ｑは、第３図のＡＶデータ受信装置４に、ＩＤ記憶部５６０内のＩＤコードの暗号化を行う暗号化部５９１が付加された構成となる。又、第３１図のＩＤ管理用リモコン５ｑは、第４図のＩＤ管理用リモコン５に、受信したＩＤコードの暗号化解除を行う暗号化解除部５９２が付加された構成となる。
このように、ＡＶデータ送信装置３ｑ及びＡＶデータ受信装置４ｑ及びＩＤ管理用リモコン５ｑが構成されるとき、第１の実施形態と異なり、ＡＶデータ送信装置３ｑ及びＡＶデータ受信装置４ｑから暗号化されたＩＤコードが送信されるとともに、ＩＤ管理用リモコン５ｑで受信されたＩＤコードが暗号化解除される。その他の動作については、第１の実施形態と同様となる。
このとき、ＡＶデータ送信装置３ｑ（ＡＶデータ受信装置４ｑ）は、ＩＤ管理用リモコン５ｑからのＩＤ要求信号をＩＤ管理入力部５２２（５６２）で受信したとき、ＩＤ管理制御部５２１（５６１）によってＩＤ記憶部５２０（５６０）から読み出されたＩＤコードが暗号化部５９０（５９１）に送出されて暗号化される。そして、この暗号化されたＩＤコードがＩＤ管理出力部５２３（５６３）からＩＤ管理用リモコン５ｑに送信される。
又、ＩＤ管理用リモコン５ｑは、ＡＶデータ送信装置３ｑ（ＡＶデータ受信装置４ｑ）からの暗号化されたＩＤコードを受信すると、受信したＩＤコードが暗号化されたままＩＤ管理制御部５７１によってＩＤ記憶部５７０に格納される。このように暗号化されたＩＤコードをＩＤ記憶部５７０に格納したＩＤ管理用リモコン５ｑが、ＡＶデータ受信装置４ｑ（ＡＶデータ送信装置３ｑ）からの暗号化されたＩＤコードを受信すると、ＩＤ記憶部５７０に格納しているＩＤコード及び受信したＩＤコードをＩＤ管理制御部５７１から暗号化解除部５９２に送出する。そして、この２つのＩＤコードを暗号化解除部５９２で暗号化解除し、ＩＤ管理制御部５７１で比較した後、その比較結果を結果表示部５７５に与えて表示するとともに、ＩＤ記憶部５７０内の暗号化されたＩＤコードを消去する。
即ち、第３２図の状態遷移図のように、第５図の状態遷移図と同様、まず、ＳＴＥＰ１〜ＳＴＥＰ３の動作がＡＶデータ送信装置３ｑ及びＩＤ管理リモコン５ｑの間で行われることで、ＩＤ要求信号を受信したＡＶデータ送信装置３ｑのＩＤコードがＩＤ記憶部５２０から読み出される。そして、このＩＤ記憶部５２０から読み出されたＩＤコードが暗号化部５９０で暗号化される（ＳＴＥＰ３０１）。その後、ＳＴＥＰ４〜ＳＴＥＰ６の動作がＡＶデータ送信装置３ｑ及びＩＤ管理リモコン５ｑの間で行われることで、暗号化されたＩＤコードがＩＤ管理用リモコン５ｑのＩＤ記憶部５７０に格納される。
次に、ＳＴＥＰ７〜ＳＴＥＰ９の動作がＡＶデータ受信装置４ｑ及びＩＤ管理リモコン５ｑの間で行われることで、ＩＤ要求信号を受信したＡＶデータ受信装置４ｑのＩＤコードがＩＤ記憶部５６０から読み出される。そして、このＩＤ記憶部５６０から読み出されたＩＤコードが暗号化部５９１で暗号化される（ＳＴＥＰ３０２）。その後、ＳＴＥＰ１０、ＳＴＥＰ１１の動作がＡＶデータ受信装置４ｑ及びＩＤ管理リモコン５ｑの間で行われることで、ＡＶデータ受信装置４ｑから送信される暗号化されたＩＤコードがＩＤ管理用リモコン５ｑで受信される。
そして、ＳＴＥＰ６でＩＤ記憶部５７０に格納されたＩＤコードとＳＴＥＰ１１で受信されたＩＤコードがそれぞれ暗号化解除部５９２に与えられて、この２つのＩＤコードが暗号化解除される（ＳＴＥＰ３０３）。この暗号化解除された２つのＩＤコードがＩＤ管理制御部５７１で比較され、その比較結果が結果表示部５７５に与えられて表示されるとともに、ＩＤ記憶部５７０内のＩＤコードが消去される（ＳＴＥＰ１２〜ＳＴＥＰ１４）。
尚、ＡＶデータ送信装置３ｑ及びＡＶデータ受信装置４ｑが、暗号化部５９０，５９１で暗号化する際に用いる暗号化キーは、暗号化部５９０，５９１に予め格納されるものとしても構わないし、ＩＤ管理用リモコン５ｑよりＩＤ要求信号とともに送信されるものとしても構わない。又、暗号化部５９０，５９１に暗号化キーが格納されているとき、暗号化したＩＤコードとともに暗号化キーをＩＤ管理用リモコン５ｑに送信するようにしても構わない。又、暗号化するたびに、暗号化キーを毎回変更するようにしても構わない。このとき、暗号化キーを時間に基づいて変更するようにしても構わない。更に、ＩＤ管理用リモコン５ｑにおいて、暗号化されたＩＤコード同士を比較するようにしても構わない。
又、本実施形態において、第１の実施形態に対してＩＤコードの暗号化を適用したものとしたが、第２〜第５の実施形態におけるＩＤ管理用リモコン５，５ａ〜５ｃについても、暗号化解除部５９２を付加した構成とすることで、ＡＶデータ送信装置３ｑ及びＡＶデータ受信装置４ｑから送信される暗号化されたＩＤコードを暗号化解除して、各装置の通信接続関係を確認することができる。このとき、ＩＤ管理用リモコン５，５ａ〜５ｃは、受信したＩＤコードの暗号化解除の動作以外については、第２〜第５の実施形態と同様の動作を行う。
更に、第６の実施形態のように、ＡＶデータ送信装置３ｑ及びＡＶデータ受信装置４ｑに結果表示部を付加した構成とし、ＡＶデータ送信装置３ｑ及びＡＶデータ受信装置４ｑに各装置の通信接続関係を示す比較結果が送信されるようにしても構わない。又、ＩＤ管理用記憶部５ｑにおいて、格納したＩＤコードの消去するタイミングは、ＩＤコードを格納して所定時間経過後としても構わないし、ＩＤコードが一致した装置の台数が所定台数となったときとしても構わないし、操作部５７４によって指示するようにしても構わない。
＜第８の実施形態＞
本発明の第８の実施形態について、図面を参照して以下に説明する。第３３図は、本実施形態におけるＡＶデータ送信装置の内部構成を示すブロック図である。又、第３４図は、本実施形態におけるＡＶデータ受信装置の内部構成を示すブロック図である。又、第３５図は、本実施形態におけるＩＤ管理用リモコンの内部構成を示すブロック図である。尚、第３３図〜第３５図において、第２９図〜第３１図と同一の部分については同一の符号を付して、その詳細な説明は省略する。
第３３図のＡＶデータ送信装置３ｒは、第２９図のＡＶデータ送信装置３ｑに、暗号化解除部５９５及び結果表示部５８０が付加された構成である。又、第３４図のＡＶデータ受信装置４ｒは、第３０図のＡＶデータ受信装置４ｑに、暗号化解除部５９６及び結果表示部５８１が付加された構成である。又、第３５図のＩＤ管理用リモコン５ｒは、第３１図のＩＤ管理用リモコン５ｑに、暗号化部５９７が付加された構成である。
尚、結果表示部５８０，５８１は、第６の実施形態のＡＶデータ送信装置３ｐ及びＡＶデータ受信装置４ｐにおける結果表示部５８０，５８１と同様の動作を行う。又、ＡＶデータ送信装置３ｒは、暗号化解除部５９５以外の部分の動作は、ＡＶデータ送信装置３ｑと同様の動作を行い、ＡＶデータ受信装置４ｒは、暗号化解除部５９６以外の部分の動作は、ＡＶデータ受信装置４ｑと同様の動作を行う。又、ＩＤ管理用リモコン５ｒは、暗号化部５９７以外の部分の動作は、ＩＤ管理用リモコン５ｑと同様の動作を行う。
このように、ＡＶデータ送信装置３ｒ及びＡＶデータ受信装置４ｒ及びＩＤ管理用リモコン５ｒが構成されるとき、第７の実施形態と異なり、ＡＶデータ送信装置３ｒ及びＡＶデータ受信装置４ｒから暗号化されたＩＤコードをＩＤ管理用リモコン５ｒが受信し、暗号化解除して格納する。そして、ＩＤ管理用リモコン５ｒは次に通信を行うＡＶデータ送信装置３ｒ及びＡＶデータ受信装置４ｒに対して、格納したＩＤコードを再び暗号化して送信する。この暗号化されたＩＤコードを受信したＡＶデータ送信装置３ｒ及びＡＶデータ受信装置４ｒは、暗号化されたＩＤコードを暗号化解除して、自機器のＩＤコードと比較する。
このとき、ＡＶデータ送信装置３ｒ（ＡＶデータ受信装置４ｒ）のＩＤ管理出力部５２３（５６３）から、暗号化部５９０（５９１）で暗号化されたＩＤ記憶部５２０（５６０）内のＩＤコードが、ＩＤ管理用リモコン５ｒに送信される。この暗号化されたＩＤコードを受信したＩＤ管理用リモコン５ｒは、暗号化解除部５９２で暗号化解除した後、ＩＤ記憶部５７０に格納する。
その後、ＩＤ管理用リモコン５ｒが、ＡＶデータ受信装置４ｒ（ＡＶデータ送信装置３ｒ）と通信を行うときに、ＩＤ記憶部５７０に格納したＩＤコードを読み出して暗号化部５９７で暗号化し、ＩＤ管理出力部５７３より送信するとともに、ＩＤ記憶部５７０内のＩＤコードを消去する。この暗号化されたＩＤコードをＡＶデータ受信装置４ｒ（ＡＶデータ送信装置３ｒ）がＩＤ管理入力部５６２（５２２）で受信すると、ＩＤ管理制御部５６１（５２１）から暗号化解除部５９６（５９５）に送出する。そして、受信したＩＤコードを暗号化解除部５９６（５９５）で暗号化解除し、ＩＤ管理制御部５６１（５２１）でＩＤ記憶部５６０（５２０）内のＩＤコードと比較する。この比較結果を結果表示部５８１（５８０）に与えて表示する。
即ち、第３６図の状態遷移図のように、第３３図の状態遷移図と同様、まず、ＳＴＥＰ１〜ＳＴＥＰ５及びＳＴＥＰ３０１の動作がＡＶデータ送信装置３ｒ及びＩＤ管理リモコン５ｒの間で行われることで、ＩＤ要求信号を受信したＡＶデータ送信装置３ｒのＩＤコードが暗号化されて送信された後、ＩＤ管理用リモコン５ｒで受信される。そして、暗号化されたＩＤコードが暗号化解除部５９７に送出されて暗号化解除された後（ＳＴＥＰ４０１）、ＩＤ記憶部５７０に格納される（ＳＴＥＰ６）。
次に、ＡＶデータ受信装置４ｒの通信可能領域で操作部５７４が操作されてＩＤコードの送信が指示されると（ＳＴＥＰ４０２）、ＩＤ記憶部５７０に格納されたＩＤコードがＩＤ管理制御部５７１によって読み出されて（ＳＴＥＰ４０３）、暗号化部５９２で暗号化される（ＳＴＥＰ４０４）。そして、この暗号化されたＩＤコードがＩＤ管理出力部５７３より送信されると（ＳＴＥＰ４０５）、ＡＶデータ受信装置４ｒのＩＤ管理入力部５６３で受信される（ＳＴＥＰ４０６）。このとき、ＩＤ管理用リモコン５ｒでは、ＩＤ記憶部５７０に格納したＩＤコードを消去する（ＳＴＥＰ１４）。
その後、ＡＶデータ受信装置４ｒでは、受信したＩＤコードがＩＤ管理制御部５６１から暗号化解除部５９６に送出されて、暗号化解除される（ＳＴＥＰ４０７）。そして、暗号化解除されたＩＤコードとＩＤ記憶部５６０に格納されたＩＤコードとがＩＤ管理制御部５６１で比較される（ＳＴＥＰ４０８）。この比較結果が結果表示部５８１に与えられて表示される（ＳＴＥＰ４０９）。
尚、本実施形態において、ＩＤ用管理リモコン５ｒにおいて格納するＩＤコードを暗号化解除した後に暗号化して送信するものとしたが、ＩＤ管理リモコンをＩＤ管理リモコン５のように暗号化解除部及び暗号化部のない構成としても構わない。このとき、ＡＶデータ送信装置３ｒ及びＡＶデータ受信装置４ｒにおいてＩＤ管理リモコン５より送信されたＩＤコードを暗号化解除するようにしても構わない。
又、本実施形態において、ＡＶデータ送信装置３ｒ及びＡＶデータ受信装置４ｒにおいて受信したＩＤコードを暗号化解除した後に自機器のＩＤコードと比較することで通信接続関係を判断するものとしたが、受信したＩＤコードを暗号化解除可能か否かに基づいて通信接続関係を判断するようにしても構わない。
更に、ＡＶデータ送信装置３ｒ及びＡＶデータ受信装置４ｒが、暗号化部５９０，５９１で暗号化する際に用いる暗号化キーは、暗号化部５９０，５９１に予め格納されるものとしても構わないし、ＩＤ管理用リモコン５ｒよりＩＤ要求信号とともに送信されるものとしても構わない。又、暗号化部５９０，５９１，５９７に暗号化キーが格納されているとき、暗号化したＩＤコードとともに暗号化キーを送信相手に送信するようにしても構わない。又、暗号化するたびに、暗号化キーを毎回変更するようにしても構わない。このとき、暗号化キーを時間に基づいて変更するようにしても構わない。
又、本実施形態において、第２の実施形態と同様、ＩＤ記憶部５７０に格納したＩＤコードを、所定時間の経過まで、又は、一致回数が所定回数を超えるまで、又は、消去が指示されるまで、格納したままとしても構わない。このとき、ＩＤ記憶部５７０に格納されている間、複数のＡＶデータ送信装置３ｒ及びＡＶデータ受信装置４ｒに対してＩＤ記憶部５７０に格納されているＩＤコードを送信し、このＩＤコードを受信したＡＶデータ送信装置３ｒ及びＡＶデータ受信装置４ｒによって通信接続関係が確認される。
又、第６の実施形態のように、ＩＤ管理用リモコン５ｒが、ＩＤ管理制御部５７１でＩＤコードを比較し、各装置の通信接続関係を表す比較結果を暗号化部５９７で暗号化して送信するようにしても構わない。このとき、ＡＶデータ送信装置３ｒ及びＡＶデータ受信装置４ｒはそれぞれ、暗号化された比較結果をＩＤ管理入力部５２２，５６２で受信すると、暗号化解除部５９５，５９６で暗号化解除した後、結果表示部５８０，５８１に送出する。
又、本実施形態において、第１の実施形態に対してＩＤコードの暗号化を適用したものとしたが、第３〜第５の実施形態に対しても適用することができる。即ち、第３６図の状態遷移図のＳＴＥＰ４０３〜４０５において、ＩＤ管理用リモコンがＩＤ記憶部より複数のＩＤコードを読み出して暗号化した後、ＡＶデータ送信装置３ｒ又はＡＶデータ受信装置４ｒに送信する。このとき、各ＩＤコードには、そのＩＤコードを備えた装置を判別するための符号を付加する。
よって、複数のＩＤコードを受信したＡＶデータ送信装置３ｒ又はＡＶデータ受信装置４ｒが、ＳＴＥＰ４０６〜ＳＴＥＰ４０９において、複数のＩＤコードを暗号化解除した後、各ＩＤコードと比較して、自機器のＩＤコードと一致する装置を確認し、結果表示部に出力表示する。又、自機器のＩＤコードを含む複数のＩＤコードより、各装置の通信接続関係を確認して、結果表示部に出力表示するようにしても構わない。
又、第１〜第８の各実施形態において、ＡＶデータ送信装置及びＡＶデータ受信装置からＩＤ管理用リモコンにＩＤコードが送信されるとき、各装置の機器名もともに送信されるものとしても構わない。このとき、ＩＤ管理用リモコンやＡＶデータ送信装置やＡＶデータ受信装置における結果表示部に比較結果を表示する際、各装置の機器名を表示するようにしても構わない。
又、ＩＤ管理入力部及びＩＤ管理出力部については、リモコンデータを送受信する赤外線送受信部の一部として構成し、例えば、ＩＤ管理入力部をリモコン出力部に含まれるものとしても構わないし、ＩＤ管理出力部をリモコンデータ受信部に含まれるものとしても構わない。更に、比較結果が結果表示部で表示されるものとしたが、発光素子などを点灯又は点滅させることで結果表示するようにしても構わないし、スピーカなどから比較結果を音声出力するようにしても構わない。
更に、第１〜第８の各実施形態において、ＡＶデータ無線通信システムを例に挙げて、ＩＤ管理システムの構成を説明したが、ＡＶデータに限らず、他のデータを有線又は無線で通信を行う無線通信システムにおいて、上述の各実施形態におけるＩＤ管理システムを利用することができる。
【産業上の利用可能性】  本発明によると、電子機器及びデータ処理装置において、無線通信システムを構成する複数のデータ処理装置の通信接続関係を結果出力部に出力することができる。よって、ユーザは、この結果出力部からの出力を確認することによって、各データ処理装置の通信接続関係を容易に確認することができる。このことにより、特定のデータ処理装置間でデータの送受信が行われない原因が、暗号化コードの不一致が原因であるか否かを確認することができる。又、電子機器により設置場所が離れているデータ処理装置についても、その通信接続関係を確認することができる。
又、電子機器は、暗号化コードを自動的にデータ処理装置から獲得することができるため、ユーザが暗号化コードを入力する必要がなく、その操作を容易なものとすることができる。又、暗号化コードを直接表示しないので、暗号化コードが漏洩することを防ぐことができる。又、暗号化コードを暗号化してデータ処理装置及び電子機器との間で送受信されるため、暗号化コードの漏洩を防ぐ更に安全なシステムとすることができる。
【図１】
2004079987.tif 000003
【図２】
2004079987.tif 000004
【図３】
2004079987.tif 000005
【図４】
2004079987.tif 000006
【図５】
2004079987.tif 000007
2004079987.tif 000008
【図７】
2004079987.tif 000009
【図８】
2004079987.tif 000010
【図９】
2004079987.tif 000011
【図１０】
2004079987.tif 000012
【図１１】
2004079987.tif 000013
2004079987.tif 000014
【図１３】
2004079987.tif 000015
【図１４】
2004079987.tif 000016
【図１５】
2004079987.tif 000017
2004079987.tif 000018
【図１７】
2004079987.tif 000019
【図１８】
2004079987.tif 000020
【図１９】
2004079987.tif 000021
【図２０】
2004079987.tif 000022
【図２１】
2004079987.tif 000023
【図２２】
2004079987.tif 000024
【図２３】
2004079987.tif 000025
2004079987.tif 000026
【図２５】
2004079987.tif 000027
【図２６】
2004079987.tif 000028
【図２７】
2004079987.tif 000029
【図２８】
2004079987.tif 000030
【図２９】
2004079987.tif 000031
【図３０】
2004079987.tif 000032
【図３１】
2004079987.tif 000033
【図３２】
2004079987.tif 000034
【図３３】
2004079987.tif 000035
【図３４】
2004079987.tif 000036
【図３５】
2004079987.tif 000037
【図３６】
2004079987.tif 000038
【図３７】
2004079987.tif 000039
【図３８】
2004079987.tif 000040
【図３９】
2004079987.tif 000041
【国際調査報告】
2004079987.tif 000042
2004079987.tif 000043